(57)【要約】  医療用流体ラインの中で使用するためのバブルトラップ、および、医療用流体バブルトラップシステムが、本明細書で開示されている。いくつかの実施形態では、バブルトラップは、流体ラインからバブルトラップの中へ流入するガス（たとえば、空気）をトラップするように構成されている。いくつかの実施形態では、バブルトラップは、入口部および出口部、ならびに、入口部と出口部との間のチャンバーを含む。たとえば、いくつかの実施形態では、バブルトラップは、ガスが入口部からチャンバーの中へ流入すると、ガスが出口部の中へ流入することを抑制するように構成されている。いくつかの実施形態では、バブルトラップは、供給源コンテナ、デスティネーションコンテナ、および／または患者に流体連通している。
2019525810.tif 000002
【特許請求の範囲】
【請求項１】
医療用流体ラインに流体連通しているように構成されているインラインバブルトラップデバイスであって、前記インラインバブルトラップデバイスは、
入口開口部中心軸線を有する入口開口部を含む入口部と、
出口開口部中心軸線を有する出口開口部を含む出口部と、
チャンバーと、
を含み、
前記入口開口部中心軸線および前記出口開口部中心軸線は、互いに異なっており、前記入口開口部が前記出口開口部とは整合されないようになっており、
バブルトラップは、前記入口部から前記出口部へのガスのフローを抑制するように構成されている、インラインバブルトラップデバイス。
【請求項２】
前記入口開口部が前記出口開口部とは整合されていないということは、前記入口開口部から前記出口開口部への流体通路を分裂させる、請求項１に記載のインラインバブルトラップ。
【請求項３】
前記チャンバーは、前記バブルトラップの中へ流入するガスをトラップするように構成されている、請求項１または２に記載のインラインバブルトラップ。
【請求項４】
前記チャンバーは、前記入口部と前記出口部との間に位置付けされている、請求項１から３のいずれか一項に記載のインラインバブルトラップ。
【請求項５】
前記出口部は、出口突起部を含む、請求項１から４のいずれか一項に記載のインラインバブルトラップ。
【請求項６】
前記出口突起部は、前記出口開口部と、前記出口部に流体連通しているチャネルとを含む、請求項５に記載のインラインバブルトラップ。
【請求項７】
前記出口突起部は、前記チャンバーの内側表面から離れるように、前記チャンバーの中へ延在している、請求項５または６に記載のインラインバブルトラップ。
【請求項８】
前記出口突起部の前記出口開口部は、前記チャンバーの中心の近くまたは前記チャンバーの中心に位置決めされている、請求項５から７のいずれか一項に記載のインラインバブルトラップ。
【請求項９】
前記出口突起部の前記出口開口部は、前記出口突起部の側部に位置決めされている、請求項５から８のいずれか一項に記載のインラインバブルトラップ。
【請求項１０】
前記入口部は、入口突起部を含む、請求項１から９のいずれか一項に記載のインラインバブルトラップ。
【請求項１１】
前記入口突起部は、前記入口開口部と、前記入口部に流体連通しているチャネルとを含む、請求項１０に記載のインラインバブルトラップ。
【請求項１２】
前記入口突起部は、前記チャンバーの内側表面から離れるように、前記チャンバーの中へ延在している、請求項１０に記載のインラインバブルトラップ。
【請求項１３】
前記入口開口部は、前記チャンバーの中心の近くまたは前記チャンバーの中心に位置決めされている、請求項１０から１２のいずれか一項に記載のインラインバブルトラップ。
【請求項１４】
前記入口開口部は、前記入口突起部の側部に位置決めされている、請求項１０から１３のいずれか一項に記載のインラインバブルトラップ。
【請求項１５】
前記入口突起部および前記出口突起部は、互いを越えて延在しており、入口開口部が、前記出口開口部よりも、前記出口部の近くに位置決めされている、請求項１０から１４のいずれか一項に記載のインラインバブルトラップ。
【請求項１６】
前記入口開口部から前記出口開口部へのすべての流路は、ベンドを含む、請求項１から１５のいずれか一項に記載のインラインバブルトラップ。
【請求項１７】
前記入口部および前記出口部は、前記チャンバーの反対側端部にある、請求項１から１６のいずれか一項に記載のインラインバブルトラップ。
【請求項１８】
前記バブルトラップは、静止体積を有する前記チャンバーを少なくとも部分的に画定する弾性ハウジングを含み、前記ハウジングは、真空にさらされるときに少なくとも部分的に崩壊するように構成されており、前記チャンバーの体積を低減させるようになっており、また、前記真空が除去されるときに、前記静止体積に戻るように構成されている、請求項１から１７のいずれか一項に記載のインラインバブルトラップ。
【請求項１９】
医療用流体の移送の間に空気をトラップするように構成されている医療用流体移送システムであって、前記医療用流体移送システムは、
流体供給源から流体デスティネーションへ流体を移送するように構成されている流体移送デバイスと、
メス型ルアー端部およびオス型ルアー端部をさらに含む、請求項１から１８のいずれか一項に記載のインラインバブルトラップと、
を含み、
前記バブルトラップは、前記流体移送デバイス、流体供給源、および流体デスティネーションのうちの少なくとも１つに流体連通しているように構成されており、
前記バブルトラップは、前記流体供給源から、前記バブルトラップの前記出口部を通して、前記流体デスティネーションの中への、ガスの移送を抑制するように構成されている、医療用流体移送システム。
【請求項２０】
前記バブルトラップは、前記流体供給源に流体連通している、請求項１９に記載のシステム。
【請求項２１】
前記バブルトラップは、前記流体デスティネーションに流体連通している、請求項１９または２０に記載のシステム。
【請求項２２】
前記メス型ルアー端部は、前記出口部に隣接している、請求項１９から２１のいずれか一項に記載のシステム。
【請求項２３】
前記オス型ルアー端部は、前記入口部に隣接している、請求項１９から２２のいずれか一項に記載のシステム。
【請求項２４】
供給源コンテナからデスティネーションコンテナへ流体を移送する方法であって、前記方法は、
前記供給源コンテナから前記デスティネーションコンテナへのガスの移送を抑制するように構成されている流体移送モジュールを取得するステップであって、前記流体移送モジュールは、インラインバブルトラップを含み、前記インラインバブルトラップは、チャンバー、入口部中心軸線を有する入口開口部、および、出口部中心軸線を有する出口開口部を含み、前記出口部中心軸線は、前記入口部中心軸線とは異なっており、前記入口開口部が前記出口開口部とは整合されないようになっている、ステップと、
前記流体移送モジュールが前記供給源コンテナおよび前記デスティネーションコンテナに流体連通していることを確保するステップと、
前記供給源コンテナから、前記流体移送モジュールを通して、前記デスティネーションコンテナの中へ流体を移送するステップと、
を含む、方法。
【請求項２５】
前記デスティネーションコンテナおよび前記流体移送モジュールの中に真空を開始させるステップであって、移送する前記ステップを開始させる前に、前記流体移送モジュールの前記チャンバーによって画定される体積が低減されるようになっている、ステップをさらに含む、請求項２４に記載の方法。
【請求項２６】
前記入口開口部が前記出口開口部とは整合されていないということは、前記入口開口部から前記出口開口部への流体通路を分裂させる、請求項２４または２５に記載の方法。
【請求項２７】
前記流体移送モジュールは、前記出口開口部と、前記出口部に流体連通しているチャネルとを有する出口突起部をさらに含む、請求項２４から２６のいずれか一項に記載の方法。
【請求項２８】
前記出口突起部は、前記チャンバーの内側表面から離れるように、前記チャンバーの中へ延在している、請求項２７に記載の方法。
【請求項２９】
前記出口突起部の前記出口開口部は、前記出口突起部の側部に位置決めされている、請求項２７または２８に記載の方法。
【請求項３０】
前記流体移送モジュールは、前記入口開口部と、前記入口部に流体連通しているチャネルと、を有する入口突起部をさらに含む、請求項２４から２９のいずれか一項に記載の方法。
【請求項３１】
前記入口突起部は、前記チャンバーの内側表面から離れるように、前記チャンバーの中へ延在している、請求項３０に記載の方法。
【請求項３２】
前記入口開口部は、前記入口突起部の側部に位置決めされている、請求項３０または３１に記載の方法。
【請求項３３】
前記供給源コンテナおよび前記デスティネーションコンテナから前記流体移送モジュールを切り離すステップをさらに含む、請求項２４から３２のいずれか一項に記載の方法。
【請求項３４】
医療用流体ラインに流体連通しているように構成されているインラインバブルトラップデバイスであって、前記インラインバブルトラップデバイスは、
内側表面および外側表面を含むチャンバーと、
前記チャンバーの中へ延在する入口突起部を含む入口部であって、前記入口突起部は、前記チャンバーの前記内側表面から離れるように変位させられている入口部チャネルおよび入口開口部を有する、入口部と、
前記チャンバーの中へ延在する出口突起部を含む出口部であって、前記出口突起部は、前記チャンバーの前記内側表面から離れるように変位させられている出口部チャネルおよび出口開口部を有する、出口部と、
を含み、
バブルトラップは、前記入口部から前記出口部へのガスのフローを抑制するように構成されている、インラインバブルトラップデバイス。
【請求項３５】
前記入口開口部および前記出口開口部は、互いから離れるように配向されており、前記開口部同士の間を移動する流体が間接的な経路を取る必要があるようになっている、請求項３４に記載のインラインバブルトラップ。
【請求項３６】
前記入口部チャネルおよび前記出口部チャネルのうちの少なくとも１つは、カーブを含み、前記カーブは、前記入口開口部を前記出口開口部とは整合させず、前記チャンバーを通る前記入口開口部から前記出口開口部への流体通路を分裂させる、請求項３４または３５に記載のインラインバブルトラップ。
【請求項３７】
前記チャンバーは、前記バブルトラップの中へ流入するガスをトラップするように構成されている、請求項３４から３６のいずれか一項に記載のインラインバブルトラップ。
【請求項３８】
前記チャンバーは、崩壊可能である、請求項３４から３７のいずれか一項に記載のインラインバブルトラップ。
【請求項３９】
前記出口突起部の前記出口開口部は、前記チャンバーの中心の近くまたは前記チャンバーの中心に位置決めされている、請求項３４から３８のいずれか一項に記載のインラインバブルトラップ。
【請求項４０】
前記入口開口部は、前記チャンバーの中心の近くまたは前記チャンバーの中心に位置決めされている、請求項３４から３９のいずれか一項に記載のインラインバブルトラップ。
【請求項４１】
前記入口突起部および前記出口突起部は、前記チャンバーの中で互いを越えて突起している、請求項３４から４０のいずれか一項に記載のインラインバブルトラップ。
【請求項４２】
医療用流体の移送の間に空気をトラップするように構成されている医療用流体移送システムであって、前記医療用流体移送システムは、
流体供給源から流体デスティネーションへ流体を移送するように構成されている流体移送デバイスと、
メス型ルアー端部およびオス型ルアー端部をさらに含む、請求項３４から４１のいずれか一項に記載のインラインバブルトラップと、
を含み、
前記バブルトラップは、前記流体移送デバイス、流体供給源、および流体デスティネーションのうちの少なくとも１つに流体連通しているように構成されており、
前記バブルトラップは、前記流体供給源から、前記バブルトラップの前記出口部を通して、前記流体デスティネーションの中への、ガスの移送を抑制するように構成されている、医療用流体移送システム。
【請求項４３】
前記バブルトラップは、前記流体供給源に流体連通している、請求項４２に記載のシステム。
【請求項４４】
前記バブルトラップは、前記流体デスティネーションに流体連通している、請求項４２または４３に記載のシステム。
【請求項４５】
前記メス型ルアー端部は、前記出口部に隣接している、請求項４２から４４のいずれか一項に記載のシステム。
【請求項４６】
前記オス型ルアー端部は、前記入口部に隣接している、請求項４２から４５のいずれか一項に記載のシステム。
【請求項４７】
医療用流体注入ポンプと共に使用するための患者供給源バッグであって、前記患者供給源バッグは、
チャンバーと、
前記チャンバーに流体連通している出口部領域を含む出口部と、
前記出口部に流体連通している空気収集領域を画定するバリアであって、前記バリアは、前記空気収集領域の中に空気を維持するように構成されている、バリアと、
を含む、患者供給源バッグ。
【請求項４８】
前記バリアは、前記出口部領域を通るガスの移送を抑制するように構成されている、請求項４７に記載の患者供給源バッグ。
【請求項４９】
前記空気収集領域は、前記チャンバーと前記出口部領域との間の連続的な流体流路の外側に位置付けされている、請求項４７または４８に記載の患者供給源バッグ。
【請求項５０】
前記空気収集領域は、前記出口部から間隔を離して配置されている、請求項４７から４９のいずれか一項に記載の患者供給源バッグ。
【請求項５１】
前記出口部は、前記チャンバーの上側領域に位置付けされている、請求項４７から５０のいずれか一項に記載の患者供給源バッグ。
【請求項５２】
前記出口部は、前記チャンバーの中へのおよび前記チャンバーからの流体の通過を可能にするように構成されている、請求項４７から５１のいずれか一項に記載の患者供給源バッグ。
【請求項５３】
前記チャンバーからの空気の除去を可能にするように構成されているポートをさらに含む、請求項４７から５２のいずれか一項に記載の患者供給源バッグ。
【請求項５４】
少なくとも１つのアクセスポートをさらに含む、請求項４７から５３のいずれか一項に記載の患者供給源バッグ。
【請求項５５】
前記アクセスポートは、閉止可能なメス型ルアーコネクターである、請求項５４に記載の患者供給源バッグ。
【請求項５６】
前記アクセスポートは、閉止可能なオス型ルアーコネクターである、請求項５４に記載の患者供給源バッグ。
【請求項５７】
前記チャンバーの外側にあり、前記チャンバーに流体連通している、バブルトラップをさらに含む、請求項４７から５６のいずれか一項に記載の患者供給源バッグ。
【発明の詳細な説明】
【技術分野】
【０００１】
本発明は、医療用流体の移送を制御することに関し、より具体的には、医療用流体の中のガスバブルの伝送を制限することに関する。
【背景技術】
【０００２】
多くのタイプの医療用流体が、患者を治療するためにルーチン的に使用されており、それらは、化学療法薬物、抗生物質、免疫抑制薬物、抗ウイルス薬物、水和流体、栄養流体、抗凝固剤、疼痛管理薬物、医療用イメージングのための造影流体などを含む。そして、これらの流体のすべては、さまざまなタイプの病気、病状、怪我、または療法に関して、多くの異なる種類の利点および不利益を伴う。そのうえ、特定の患者は、自身の特定の医学的ニーズに対処するために、最適化された投与量、濃度、および、これらの薬物または他の医療用流体の組み合わせを必要とする。結果として、医療施設は、個々の患者ニーズに応えるために、継続的なベースで、多くの異なるタイプのカスタマイズされた医療用流体を提供することを要求されている。これらのニーズに応える際に、少量の空気が、準備された医療用流体の中に存在することが多い。
【０００３】
本明細書で開示されているシステムおよび方法は、医療用流体移送システム、および、医療用流体の中の空気の存在に関するさまざまな課題に対処する。
【先行技術文献】
【特許文献】
【０００４】
【特許文献１】米国特許第８，５２２，８３２号明細書
【特許文献２】米国特許出願公開第２０１４／０２９９２２１号明細書
【特許文献３】ＰＣＴ国際出願第ＵＳ２０１５／０４０１７４号明細書
【特許文献４】米国特許出願公開第２０１５／０２８３３２２号明細書
【特許文献５】米国特許第５，８７３，８６２号明細書
【特許文献６】米国特許第７，９９８，１３４号明細書
【特許文献７】米国特許出願公開第２０１４／０２４６６１６号明細書
【発明の概要】
【課題を解決するための手段】
【０００５】
いくつかの実施形態では、医療用流体ラインの中で使用するためのバブルトラップが開示されている。
【０００６】
いくつかの実施形態では、医療用流体バブルトラップシステムが開示されている。システムは、供給源コンテナおよびデスティネーションコンテナのうちの少なくとも１つに流体連通しているように構成されているバブルトラップを含むことが可能である。バブルトラップは、バブルトラップの中へ流入するガスをトラップするように構成され得る。
【０００７】
いくつかの実施形態では、医療用流体バブルトラップシステムが開示されている。システムは、供給源コンテナと、バブルトラップを含む流体移送モジュールと、デスティネーションコンテナとを含むことが可能である。バブルトラップは、バブルトラップの中へ流入するガスをトラップするように構成され得る。
【０００８】
いくつかの実施形態では、チャンバーの中のガスをトラップするように構成されているバブルトラップを含む医療用流体移送モジュールが開示されている。
【０００９】
いくつかの実施形態では、チャンバーの中のガスをトラップするように構成されているバブルトラップを含む電子的な医療用流体移送デバイスが開示されている。
【００１０】
いくつかの実施形態では、インラインバブルトラップデバイスは、医療用流体ラインに流体連通しているように構成されており、入口部から出口部へのガスのフローを抑制する。バブルトラップデバイスは、入口開口部中心軸線を有する入口開口部を含む入口部と、出口開口部中心軸線を有する出口開口部を含む出口部と、チャンバーとを含むことが可能である。入口開口部中心軸線および出口開口部中心軸線は、互いに異なっていることが可能であり、入口開口部が出口開口部とは整合されないようになっている。いくつかの実施形態では、入口開口部が出口開口部とは整合していないことは、入口開口部から出口開口部への流体通路を分裂させる。チャンバーは、バブルトラップの中へ流入するガスをトラップするように構成され得る。チャンバーは、入口部と出口部との間に位置付けされ得る。
【００１１】
いくつかの実施形態では、出口部は、出口突起部を含むことが可能である。出口突起部は、出口開口部と、出口部に流体連通しているチャネルとを含むことが可能である。出口突起部は、チャンバーの内側表面から離れるように、チャンバーの中へ延在することが可能である。出口突起部の出口開口部は、チャンバーの中心の近くまたはチャンバーの中心に位置決めされ得る。出口突起部の出口開口部は、出口突起部の側部に位置決めされ得る。
【００１２】
いくつかの実施形態では、入口部は、入口突起部を含む。入口突起部は、入口開口部と、入口部に流体連通しているチャネルとを含むことが可能である。入口突起部は、チャンバーの内側表面から離れるように、チャンバーの中へ延在することが可能である。入口開口部は、チャンバーの中心の近くまたはチャンバーの中心に位置決めされ得る。入口開口部は、入口突起部の側部に位置決めされ得る。
【００１３】
いくつかの実施形態では、入口突起部および出口突起部は、互いを越えて延在することが可能であり、入口開口部が、出口開口部よりも、出口部の近くに位置決めされている。
【００１４】
いくつかの実施形態では、入口開口部から出口開口部へのすべての流路は、ベンドを含む。入口部および出口部は、チャンバーの反対側端部にあることが可能である。
【００１５】
いくつかの実施形態では、バブルトラップは、静止体積を有するチャンバーを少なくとも部分的に画定する弾性ハウジングを含むことが可能である。ハウジングは、真空にさらされるときに少なくとも部分的に崩壊するように構成され得、チャンバーの体積を低減させるようになっており、また、真空が除去されるときに、静止体積に戻るように構成され得る。
【００１６】
いくつかの実施形態では、医療用流体移送システムは、医療用流体の移送の間に空気をトラップするように構成されている。医療用流体移送システムは、流体供給源から流体デスティネーションへ流体を移送するように構成されている流体移送デバイスと、本明細書で説明されているようなインラインバブルトラップとを含むことが可能である。インラインバブルトラップは、メス型ルアー端部およびオス型ルアー端部を含むことが可能である。バブルトラップは、流体移送デバイス、流体供給源、および流体デスティネーションのうちの少なくとも１つに流体連通しているように構成され得る。バブルトラップは、流体供給源から、バブルトラップの出口部を通して、流体デスティネーションの中への、ガスの移送を抑制するように構成され得る。バブルトラップは、流体供給源に流体連通していることが可能である。バブルトラップは、流体デスティネーションに流体連通していることが可能である。メス型ルアー端部は、出口部に隣接していることが可能である。オス型ルアー端部は、入口部に隣接していることが可能である。
【００１７】
いくつかの実施形態では、供給源コンテナからデスティネーションコンテナへ流体を移送する方法は、供給源コンテナからデスティネーションコンテナへのガスの移送を抑制するように構成されている流体移送モジュールを取得するステップを含むことが可能である。流体移送モジュールは、インラインバブルトラップを含むことが可能である。バブルトラップは、チャンバー、入口部中心軸線を有する入口開口部、および、出口部中心軸線を有する出口開口部を含むことが可能であり、出口部中心軸線は、入口部中心軸線とは異なっており、入口開口部が出口開口部とは整合されないようになっている。流体を移送する方法は、流体移送モジュールが供給源コンテナおよびデスティネーションコンテナに流体連通していることを確保するステップと、供給源コンテナから、流体移送モジュールを通して、デスティネーションコンテナの中へ流体を移送するステップとをさらに含むことが可能である。方法は、デスティネーションコンテナおよび流体移送モジュールの中に真空を開始させるステップであって、移送するステップを開始させる前に、流体移送モジュールのチャンバーによって画定される体積が低減されるようになっている、ステップをさらに含むことが可能である。入口開口部が出口開口部とは整合されていないということは、入口開口部から出口開口部への流体通路を分裂させることが可能である。流体移送モジュールは、出口開口部と、出口部に流体連通しているチャネルとを有する出口突起部をさらに含むことが可能である。出口突起部は、チャンバーの内側表面から離れるように、チャンバーの中へ延在することが可能である。出口突起部の出口開口部は、出口突起部の側部に位置決めされ得る。流体移送モジュールは、入口開口部と、入口部に流体連通しているチャネルとを有する入口突起部をさらに含むことが可能である。入口突起部は、チャンバーの内側表面から離れるように、チャンバーの中へ延在することが可能である。入口開口部は、入口突起部の側部に位置決めされ得る。方法は、供給源コンテナおよびデスティネーションコンテナから流体移送モジュールを切り離すステップをさらに含むことが可能である。
【００１８】
いくつかの実施形態では、インラインバブルトラップデバイスは、医療用流体ラインに流体連通しているように構成されており、入口部から出口部へのガスのフローを抑制する。バブルトラップデバイスは、内側表面および外側表面を含むチャンバーと、チャンバーの中へ延在する入口突起部を含む入口部であって、入口突起部は、チャンバーの内側表面から離れるように変位させられている入口部チャネルおよび入口開口部を有する、入口部と、チャンバーの中へ延在する出口突起部を含む出口部であって、出口突起部は、チャンバーの内側表面から離れるように変位させられている出口部チャネルおよび出口開口部を有する、出口部とを含むことが可能である。入口開口部および出口開口部は、互いから離れるように配向され得、開口部同士の間を移動する流体が間接的な経路を取る必要があるようになっている。入口部チャネルおよび出口部チャネルのうちの少なくとも１つは、カーブを含むことが可能であり、カーブは、入口開口部を出口開口部とは整合させず、チャンバーを通る入口開口部から出口開口部への流体通路を分裂させる。チャンバーは、バブルトラップの中へ流入するガスをトラップするように構成され得る。チャンバーは、崩壊可能であり得る。出口突起部の出口開口部は、チャンバーの中心の近くまたはチャンバーの中心に位置決めされ得る。入口開口部は、チャンバーの中心の近くまたはチャンバーの中心に位置決めされ得る。入口突起部および出口突起部は、チャンバーの中で互いを越えて突起することが可能である。
【００１９】
いくつかの実施形態では、患者供給源バッグは、医療用流体注入ポンプと共に使用するためのものである。患者供給源バッグは、チャンバーと、チャンバーに流体連通している出口部領域を含む出口部と、出口部に流体連通している空気収集領域を画定するバリアとを含むことが可能である。バリアは、空気収集領域の中に空気を維持するように構成され得る。バリアは、出口部領域を通るガスの移送を抑制するように構成され得る。空気収集領域は、チャンバーと出口部領域との間の連続的な流体流路の外側に位置付けされ得る。空気収集領域は、出口部から間隔を離して配置され得る。出口部は、チャンバーの上側領域に位置付けされ得る。出口部は、チャンバーの中へのおよびチャンバーからの流体の通過を可能にするように構成され得る。患者供給源バッグは、チャンバーからの空気の除去を可能にするように構成されているポートをさらに含むことが可能である。患者供給源バッグは、少なくとも１つのアクセスポートをさらに含むことが可能である。アクセスポートは、閉止可能なメス型ルアーコネクターであることが可能である。アクセスポートは、閉止可能なオス型ルアーコネクターであることが可能である。患者供給源バッグは、チャンバーの外側にあり、チャンバーに流体連通している、バブルトラップをさらに含むことが可能である。
【００２０】
ここで、実施形態が、以下の図面を参照して説明されることとなり、図面は、例として提供されおり、限定として提供されてはいない。同様の参照番号は、同一のまたは機能的に同様のエレメントを示している。
【図面の簡単な説明】
【００２１】
【図１Ａ】流体移送デバイスの例の概略図であり、流体移送デバイスが、流体移送システムの他のコンポーネントに除去可能に取り付けられており、および／または、それらと選択的に連通していることを示す図である。
【図１Ｂ】図１Ａの流体移送デバイスを含む、医療用流体を移送するためのシステムの例の概略図である。
【図２Ａｉ】医療用流体を移送するための電気機械式システムの例の正面斜視図である。
【図２Ｂｉ】流体移送デバイスの例の背面図である。
【図２Ｃｉ】図２Ｂｉの流体移送デバイスがそれに取り付けられている状態の、図２Ａｉの医療用流体を移送するための電気機械式システムの正面斜視図である。
【図２Ｄｉ】ドライバーの例を図示している、図２Ａｉの電気機械式システムの拡大された部分的な正面図である。
【図２Ａｉｉ】別の実施形態による、医療用流体を移送するための電気機械式システムの例の正面斜視図である。
【図２Ｂｉｉ】別の実施形態による流体移送デバイスの例の背面図である。
【図２Ｃｉｉ】図２Ｂｉｉの流体移送デバイスがそれに取り付けられている状態の、図２Ａｉｉの医療用流体を移送するための電気機械式システムの正面斜視図である。
【図２Ｄｉｉ】ドライバーの例を図示している、図２Ａｉｉの電気機械式システムの拡大された部分的な正面図である。
【図２Ｅｉｉ】図２Ｃｉｉに示されている電気機械式システムおよび流体移送デバイスの後方斜視断面図である。
【図３】ユーザー制御デバイスの例の正面平面図である。
【図４】複数の異なるタイプの医療用流体移送デバイスと電子的に通信するように構成されているユーザーインターフェースの概略図である。
【図５Ａ】供給源コンテナに流体連通しているバブルトラップを有する流体移送モジュールの概略図である。
【図５Ｂ】供給源コンテナから切り離されており、患者に流体連通している、図５Ａの流体移送モジュールの概略図である。
【図５Ｃ】図１Ａの流体移送デバイスに流体連通しているバブルトラップを有する流体移送モジュールの概略図である。
【図６Ａ】図６Ａは、いくつかの実施形態によるバブルトラップの概略図であり、図６Ａ’は、ルアーコネクターを備えた図６Ａのバブルトラップの概略図である。
【図６Ｂ】いくつかの実施形態によるバブルトラップの別の概略図である。
【図６Ｃ】いくつかの実施形態によるバブルトラップの別の概略図である。
【図７Ａ】いくつかの実施形態による、第１の位置にある流体フローを有するバブルトラップの概略図である。
【図７Ｂ】反時計回りに４５度回転させられている、図７Ａのバブルトラップの概略図である。
【図７Ｃ】反時計回りに４５度回転させられている、図７Ｂのバブルトラップの概略図である。
【図７Ｄ】反時計回りに４５度回転させられている、図７Ｃのバブルトラップの概略図である。
【図７Ｅ】反時計回りに４５度回転させられている、図７Ｄのバブルトラップの概略図である。
【図７Ｆ】反時計回りに４５度回転させられている、図７Ｅのバブルトラップの概略図である。
【図７Ｇ】反時計回りに４５度回転させられている、図７Ｆのバブルトラップの概略図である。
【図７Ｈ】反時計回りに４５度回転させられている、図７Ｇのバブルトラップの概略図である。
【図８Ａ】いくつかの実施形態による、真空が印加されている状態のバブルトラップの概略図である。
【図８Ｂ】流体によって充填されている、図８Ａのバブルトラップの概略図である。
【図９Ａ】いくつかの実施形態による、リザーバーを備えたカセットに取り付けられているバブルトラップの概略図である。
【図９Ｂ】いくつかの実施形態による、リザーバーを備えていないカセットに取り付けられているバブルトラップの概略図である。
【図９Ｃ】医療用流体によって図９Ａのカセットを充填するための例示的なプロトコルを示す図である。
【図１０Ａ】いくつかの実施形態による、空気をトラップするように構成されているカセットの概略図である。
【図１０Ｂ】いくつかの実施形態による、空気をトラップするように構成されているカセットの別の概略図である。
【発明を実施するための形態】
【００２２】
さまざまなシステム、方法、およびコンポーネントが、本発明の異なる実施形態において使用され得る。いくつかの実施形態は、添付の図に図示されている。しかし、図は、図示の便宜上のためだけに提供されており、示されている特徴の特定の組み合わせに本発明を限定するように解釈されるべきではない。むしろ、本明細書に説明および／または図示されている任意の実施形態の任意の特徴、構造、材料、ステップ、またはコンポーネントは、それ自身によって、あるいは、本明細書に説明および／もしくは図示されている任意の他の実施形態の任意の他の特徴、構造、材料、ステップ、もしくはコンポーネントと共に、または、その代わりに使用され得る。本明細書におけるものはいずれも、本質的または不可欠のものではない。
【００２３】
図１Ａは、流体移送デバイス３０の例の概略図であり、流体移送デバイス３０は、流体移送システムの他のコンポーネントに除去可能に取り付けられており、および／または、それらと選択的に連通している。いくつかの実施形態では、流体移送デバイス３０は、供給源コンテナ３９、流体移送モジュール３１、電気機械式コントローラー３６、およびデスティネーションコンテナ４４を含むことが可能である。供給源コンテナ３９および流体デスティネーションコンテナ４４は、医療用流体を保持または供給するのに適切な任意のデバイス、たとえば、バイアル、ボトル、バッグ、ホース、チューブ、タンク、キャニスターなどをそれぞれ含むことが可能である。いくつかの実施形態では、流体デスティネーションコンテナ４４は、とりわけ、容易で便利な貯蔵、または、流体移送ステーションから患者治療場所への輸送に十分に適するようにサイズおよび構造が選択されたコンテナのタイプ、たとえば、静脈注射用流体貯蔵バッグまたはＩＶバッグなどであり、個々の患者の単回用量供給の医療用流体を提供する。いくつかの実施形態では、供給源コンテナ３９は、（直列または並列のいずれかによって）複数のデスティネーションコンテナ４４の中へ移送されることとなる複数の単一の患者用量を提供するのに十分に大きいコンテナのタイプである。流体移送デバイス３０のいくつかの例は、特許文献１、特許文献２、特許文献３、および特許文献４に図示および説明されており、これらの文献のすべては、その全体が参照により組み込まれており、本明細書の一部をなすものであり、これらのいずれかに説明および／または図示されている任意の実施形態の任意の特徴、構造、材料、ステップ、またはコンポーネントは、本明細書の他の場所に説明および／もしくは図示されている任意の実施形態の任意の他の特徴、構造、材料、ステップ、もしくはコンポーネントと共に、または、それらに代えて、使用され得る。
【００２４】
流体移送モジュール３１は、多方向フロー制御弁４１と、中間コンテナもしくはポンピング領域４０と、流体移送モジュール３１のこれらのもしくは任意の他のコンポーネントの間に延在することができる任意のコネクターおよび／もしくは導管、ならびに／または、流体移送モジュール３１および供給源コンテナ３９、および／または、デスティネーションコンテナ４４の間に延在することができる任意のコネクターおよび／もしくは導管とを含むことが可能である。たとえば、流体移送モジュール３１は、入口流体コネクター３２およびチュービングを含むことが可能であり、入口流体コネクター３２およびチュービングは、多方向フロー制御弁を供給源コンテナ３９に除去可能に取り付けるように構成され得、ならびに／または、流体移送モジュール３１は、出口流体コネクター４２およびチュービングを含むことが可能であり、出口流体コネクター４２およびチュービングは、多方向フロー制御弁をデスティネーションコンテナ４４に除去可能に取り付けるように構成され得る。
【００２５】
図１Ａに示されているように、流体移送モジュール３１は、中間流体コネクター３８を含むことが可能であり、中間流体コネクター３８は、多方向フロー制御弁４１と中間コンテナまたはポンピング領域４０とを流体接続している。いくつかの実施形態では、中間流体コネクター３８は、多方向フロー制御弁４１と中間コンテナまたはポンピング領域４０との間に適当な恒久的な流体密封の方法（たとえば、接着剤、結合、超音波溶接など）によって取り付けられている導管および／またはチューブである。中間コンテナまたはポンピング領域４０は、流体を保持および測定するように構成されており、ならびに／または、流体搬送経路に沿った流体フローのための推進力を提供することを支援するように構成されている、任意の適切なコンテナまたは領域を含むことが可能である。たとえば、いくつかの実施形態では、中間コンテナまたはポンピング領域４０は、シリンジまたは導管の領域であることが可能であり、それは、蠕動ポンプ、または任意の他の適切な中間デバイスとインターフェース接続するように構成されている。すべての流体移送モジュール３１が、本明細書に図示または説明されているコンポーネントまたは特徴のすべてを含むこととなるわけではなく、むしろ、任意の適切な実施形態において、１つまたは複数のコンポーネントまたは特徴が省略され得る。
【００２６】
多方向フロー制御弁４１は、電気機械式コントローラー３６に機械的に取り付けるか、または、それとインターフェース接続するように構成され得る。たとえば、いくつかの実施形態では、多方向フロー制御弁４１は、ドライビングインターフェース３３を含むことが可能であり、ドライビングインターフェース３３は、電気機械式コントローラー３６の対応する電気機械式ドライバー（たとえば、図２Ａｉ、図２Ｄｉ、図２Ａｉｉ、図２Ｄｉｉを参照）に取り付けるか、および／または、それとインターフェース接続するように構成されている。電気機械式コントローラー３６は、流体移送管理システム７４（図１Ｂを参照）の中のコンピュータープロセッサーまたは複数のコンピュータープロセッサーによって提供される、１つまたは複数のアルゴリズムまたはインストラクションの制御の下で、多方向フロー制御弁４１を作動させることが可能であり、流体移送管理システム７４の中のコンピュータープロセッサーまたは複数のコンピュータープロセッサーは、１つまたは複数の電子信号を電気機械式コントローラー３６に送信するように構成されており、多方向フロー制御弁４１の上の複数の機能的な位置の間で選択する。しかし、多方向フロー制御弁４１を制御することができる任意の適切なコンピューター処理構成体が使用され得、また、本明細書で想定および企図されている。本明細書における単一のコンピュータープロセッサーの任意の開示は、複数のコンピュータープロセッサーに適用され、それらと共に使用され得る。
【００２７】
いくつかの実施形態では、多方向フロー制御弁４１は、複数の機能的な位置を有するストップコックを含むことが可能であり、複数の機能的な位置は、たとえば、第１の位置、第２の位置、および第３の位置などであり、第１の位置は、出口流体コネクター４２と（いくつかの実施形態では、入口流体コネクター３２ではなく）中間コンテナまたはポンピング領域４０との間の流体連通を可能にし、第２の位置は、入口流体コネクター３２と（いくつかの実施形態では、出口流体コネクター４２ではなく）中間コンテナまたはポンピング領域４０との間の流体連通を可能にし、第３の位置は、出口流体コネクター４２と（いくつかの実施形態では、中間コンテナまたはポンピング領域４０ではなく）入口流体コネクター３２との間の流体連通を可能にする。たとえば、いくつかの実施形態では、ストップコックが第１の位置にあるときに、流体は、中間コンテナまたはポンピング領域４０からデスティネーションコンテナ４４へ流れることが可能であり、または、その逆も同様であり、ストップコックが第２の位置にあるときに、流体は、供給源コンテナ３９から中間コンテナまたはポンピング領域４０へ流れることが可能であり、または、その逆も同様であり、ストップコックが第３の位置にあるときに、流体は、供給源コンテナ３９からデスティネーションコンテナ４４へ流れることが可能であり、または、その逆も同様である。さらに、いくつかの実施形態では、ストップコックが第１の位置にあるときに、中間流体コネクター３８、ストップコック、および出口流体コネクター４２は、中間コンテナまたはポンピング領域４０とデスティネーションコンテナ４４との間の流路の少なくとも一部分を構成することが可能であり、ストップコックが第２または第４の位置にあるときに、入口流体コネクター３２、ストップコック、および中間流体コネクター３８は、供給源コンテナ３９と中間コンテナまたはポンピング領域４０との間の流路の少なくとも一部分を構成することが可能であり、ストップコックが第３の位置にあるときに、入口流体コネクター３２、ストップコック、および出口流体コネクター４２は、供給源コンテナ３９とデスティネーションコンテナ４４との間の流路の少なくとも一部分を構成することが可能である。いくつかの実施形態では、第１の、第２の、第３の、および／または第４の位置にあるときに、ストップコックは、任意のコネクター（たとえば、入口流体コネクター３２、中間流体コネクター３８、および／または出口流体コネクター４２）の使用なしに、２つ以上のコンテナ（たとえば、供給源コンテナ３９、中間コンテナまたはポンピング領域４０、および／またはデスティネーションコンテナ４４）の間の１つまたは複数の流路の少なくとも一部分を構成することが可能である。また、使用され得る他の配置も、本明細書で認識および企図され、他の配置は、たとえば、３つよりも多いまたは３つよりも少ない位置を有するように構成されているストップコック（たとえば、２つ、４つ、５つまたはそれ以上の位置を有するように構成されているストップコック）を含む。
【００２８】
いくつかの実施形態では、流体移送モジュール３１は、単回使用のまたは限定使用の使い捨てのデバイスであることが可能であり、それは、たとえば、特定の患者に関する薬剤の単回用量が移送された後、および／または、１つの特定のタイプの薬剤が流体移送モジュール３１を通過した後（たとえば、薬剤の混合が望ましくないときにそれを回避するために）、流体移送デバイス３０から定期的に除去され、流体移送デバイス３０の中で交換されるように構成されている。
【００２９】
図１Ｂは、いくつかの実施形態による、図１Ａの流体移送デバイス３０を含む、医療用流体を移送するための流体移送システム８６の概略図である。たとえば、図１Ｂに示されているように、１つまたは複数の流体移送デバイス３０は、流体移送システム８６の一部を形成することが可能であり、流体移送システム８６は、互いの間で電子通信した状態で選択的に位置決めされ得る以下のコンポーネントのうちの１つまたは複数を含むことが可能であり、すなわち、１つまたは複数の電子的な患者および／または薬物情報記憶デバイスまたはネットワーク７０と、１つもしくは複数の流体移送デバイス３０、ユーザーインターフェース７８、および／または１つもしくは複数のメモリー８４を含む、１つまたは複数の流体移送管理システム７４とのうちの１つまたは複数を含むことが可能である。いくつかの実施形態では、１つまたは複数の電子的な患者および／または薬物情報記憶デバイスまたはネットワーク７０は、流体移送管理システム７４から物理的に遠隔にあることが可能である。たとえば、診療所または病院において、１つまたは複数の電子的な患者および／または薬物情報記憶デバイスまたはネットワーク７０は、データベースを備えた遠隔の患者情報管理システムを含むことが可能であり、データベースは、医療用流体に関する特定の患者のニーズについての情報（たとえば、薬物処方）を提供するようにクエリーを行われ得、その情報は、タイプ、投与量、ロット番号、有効期限、ならびに／または、患者に提供されることとなる１つもしくは複数の薬物もしくは他の医療用流体の濃度、ならびに／または、デスティネーションコンテナを処方し、要求し、および／もしくは充填した１つもしくは複数のヘルスケア提供者に関する識別情報、ならびに／または、これらの活動のいずれかもしくはすべてに関連付けられる時間および／もしくは日付を含むことが可能である。先述の医療情報のいずれかなどのような、任意の医療情報は、患者情報管理システムにおいて記録および貯蔵するために１つまたは複数の流体移送デバイス３０によって提供され得る。
【００３０】
流体移送システム８６のさまざまなコンポーネントは、図１Ｂにおいて識別されているように、任意の適切な様式で、それら自体の間で通信することが可能である。たとえば、図示されているように、１つまたは複数の患者および／または薬物情報記憶デバイスまたはネットワーク７０は、電子通信リンク７２によって、流体移送管理システム７４またはその任意のコンポーネントと電子的に通信することが可能であり、電子通信リンク７２は、任意の適切な電子通信デバイス、たとえば、有線接続、ローカルエリアネットワーク、ワイドエリアネットワーク、インターネット、および／もしくは無線接続（たとえば、Ｗｉ−Ｆｉ、Ｂｌｕｅｔｏｏｔｈ、Ａｎｔ＋、ＺｉｇＢｅｅ、セルラーなどを含む）、または、任意の他の電子通信デバイス（集合的に「電子コミュニケーター」と称される）などによって形成されている。流体移送管理システム７４は、データを送信および／または受信するように構成されているＷｉ−Ｆｉボックスなどのような、無線通信コンソールを含むことが可能であり、データは、患者データ、流体移送に関するデータ、タイプ、投与量、濃度、体積、イメージ、技術者、医師、および／もしくは流体移送の時間に関するデータ、ならびに／または、電子的な流体移送システム８６を制御するためのデータなどを含む。流体移送デバイス３０は、線接続などのような任意の適切な電子的な接続によって、または、任意の他の電子コミュニケーターによって、メモリー８４と通信することが可能である。いくつかの実施形態では、メモリー８４は、流体移送デバイス３０の一部であり、その両方を含有または支持するために、共通のハウジングが設けられている。
【００３１】
ユーザーインターフェース７８は、（任意の無線デバイス、または、電子コミュニケーターの任意の他のものを含む）任意の適切な電子通信デバイス７６によって、１つもしくは複数の流体移送デバイス３０と、および／または、１つもしくは複数の患者および／もしくは薬物情報記憶デバイスもしくはネットワーク７０と通信することが可能である。複数の流体移送デバイス３０が存在する流体移送管理システム７４のいくつかの実施形態では、単一のユーザーインターフェース７８は、複数の流体移送デバイス３０と電子的に通信し、概して同時にまたは概して並列に動作する、複数の流体移送を制御および／またはモニタリングすることが可能である。複数の流体移送デバイス３０が存在する流体移送管理システム７４のいくつかの実施形態では、１つまたは複数のユーザーインターフェース７８は、複数の流体移送デバイス３０と電子的に通信し、概して同時にまたは概して並列に動作する、複数の流体移送を制御および／またはモニタリングすることが可能である。ユーザーインターフェース７８は、流体移送デバイス３０と同様に、有線コネクター８０または電子コミュニケーターの任意の他のものによって、メモリー８４と電子的に通信するか、または、メモリー８４を含むことが可能である。ユーザーインターフェース７８のメモリー８４は、ユーザーインターフェース７８の一部であることが可能であり、その両方を含有または支持するために、共通のハウジングが設けられ得る。図１Ｂに示されているような流体移送管理システム７４のコンポーネントのそれぞれ（たとえば、流体移送デバイス３０、ユーザーインターフェース７８、および、１つまたは複数のメモリー８４）は、単一のハウジングの中に設けられ得、または、別個のコンポーネント、もしくは、コンポーネントの別個の集合として設けられ得る。
【００３２】
図２Ａｉ〜図２Ｄｉは、図１Ａに示されている流体移送デバイス３０および流体移送モジュール３１、ならびに、図１Ｂに示されている流体移送管理システム７４のいくつかの実施形態の中に含まれ得る、さまざまな特徴、コンポーネント、および配置を図示している。より詳細に下記に説明されることとなるように、図２Ａｉは、電気機械式システム２００（流体移送ユニット２００とも称される）の例を図示しており、図２Ｂｉは、この例における流体ポンプアッセンブリ２２４の形態における流体移送モジュール３１の例を図示しており、図２Ｃｉは、図２Ａｉの流体移送ユニット２００に除去可能に取り付けられている図２Ｂｉの流体ポンプアッセンブリ２２４を図示しており、図２Ｄｉは、この例におけるドライバー２１２の形態における電子機械式コントローラー３６の一部分の例を図示している。別段の注記がない限り、図２Ａｉ〜図２Ｄｉの間の同様の参照番号は、同一のエレメント、または、機能的におよび／もしくは構造的に同様のエレメントを示しており、図１Ａおよび図１Ｂの中でラベルを付されているエレメントに対応する下記の議論の中の参照番号は、図１Ａおよび図１Ｂのエレメントと同じかまたは概して同様のエレメントを表している。
【００３３】
図２Ａｉを見てみると、この図は、遠隔のユーザーインターフェース７８を備えた流体移送管理システム７４の一部分の例を図示している。たとえば、いくつかの実施形態では、図２Ａｉは、医療用流体を移送するための流体移送ユニット２００の正面斜視図を図示している。いくつかの実施形態では、流体移送ユニット２００は、図１Ａに示されている流体移送デバイス３０、または、図１Ｂに示されている流体移送システム８６の一部分の例である。図に示されているように、流体移送管理システム７４は、流体移送ユニット２００を含むことが可能であり、流体移送ユニット２００は、ハウジング２０２、１つまたは複数の運搬用ハンドル２０８、１つまたは複数のベースサポート２２３、デスティネーションコンテナサポート（たとえば、概して垂直方向のポールスタンド２０４、および／または、概して水平方向のサポートアーム２４２）、および、流体移送モジュール３１の少なくとも一部分を受け入れて保持するように構成されている１つまたは複数のサポート（たとえば、中間コンテナまたはポンピング領域４０）を含む。いくつかの実施形態では、サポートは、１つもしくは複数の突出したホルダー２２０、１つもしくは複数の受容部２１８（図示されているように、たとえば、凹部２１８など）、１つもしくは複数のセンサー２１５を含む１つもしくは複数のチャネルを備えた１つもしくは複数のセンサーデバイス２１４、流体移送モジュール３１の少なくとも一部分を受け入れるための、および／もしくは、流体の移送を促進させるための、１つもしくは複数の可動プラットフォーム２２２、ならびに／または、多方向フロー制御弁４１に取り付けるかもしくは多方向フロー制御弁４１を受け入れるための１つもしくは複数の取り付け領域２１０を含むことが可能である。より詳細に下記に説明されることとなるように、流体移送デバイス３０または流体移送ユニット２００は、ドライバー２１２を含むことが可能であり、ドライバー２１２は、図１Ａの電子機械式コントローラー３６の一部を形成することが可能であり、１つまたは複数のセンサーデバイス２１４は、１つまたは複数のインジケーター２１６を含むことが可能である。１つまたは複数のベースサポート２２３は、ハウジング２０２に取り付けられ得るか、または、ハウジング２０２と一体的に形成され得、流体移送ユニット２００を安定化させることを助ける（たとえば、それが転倒しないように防止することを助ける）。図２Ａｉには示されていないが、いくつかの実施形態では、１つまたは複数のベースサポート２２３は、ハウジング２０２の下側を横切って延在することが可能である。
【００３４】
いくつかの実施形態では、ハウジング２０２の少なくとも１つのまたは複数の部分、たとえば、１つまたは複数の受容部２１８（たとえば、図２Ａｉに図示されている凹部２１８）などは、透明になっていることが可能であり、ハウジング２０２の内側に位置決めされている１つまたは複数の測定器具がハウジングの外側でイメージまたは他のデータをキャプチャーすることを可能にする。たとえば、体積センサー（図２Ｅｉｉを参照）は、１つまたは複数のコンテナ（たとえば、供給源コンテナ３９、中間コンテナまたはポンピング領域４０、および／またはデスティネーションコンテナ４４）へ移送される液体の体積を決定することが可能である。たとえば、いくつかの実施形態では、体積センサーは、透明な凹部２１８を通して中間コンテナまたはポンピング領域４０の中の体積をセンシングするように構成され得る。この同じ体積センサーまたは１つもしくは複数の他の体積センサーは、たとえば、１つもしくは複数の透明な受容部２１８を通して、および／または、透明であるハウジング２０２の１つもしくは複数の他のセクションを通して、中間コンテナまたはポンピング領域４０（たとえば、なかでも、供給源コンテナ３９および／またはデスティネーションコンテナ４４）に加えて、または、その代わりに、１つまたは複数の他のコンテナの体積をセンシングするように構成され得るということが理解されることとなる。体積センサーは、たとえば、コンテナの中の液体の体積についての情報を提供するための任意の適当なセンサーまたはセンサーの組み合わせを含むことが可能であり、たとえば、それは、なかでも、光学センサー（たとえば、カメラまたはブレイクビームセンサー）、赤外線センサー、音響センサー（たとえば、超音波センサー）、および／または、質量もしくは重量センサーなどである。
【００３５】
体積センサーは、たとえば、患者へ移送された流体の体積および／またはタイプの記録を制御および／または提供するために使用され得、それは、たとえば、それが患者へ移送される前に、その間に、および／またはその後に、たとえば、コンテナ（たとえば、中間コンテナ、もしくはポンピング領域４０、および／または供給源コンテナ３９、および／またはデスティネーションコンテナ４４）の中の液体の体積および／または１つもしくは複数の他の特性（たとえば、色、粘度、濃度、ロット番号、有効期限など）をセンシングおよび／または記録することなどによって使用され得る。たとえば、いくつかの実施形態では、カメラが、中間コンテナまたはポンピング領域４０のイメージをキャプチャーするために使用され、その中の体積を確認または測定することが可能である。次いで、データファイルは、メモリー８４の中で生成および格納され得、メモリー８４は、１つまたは複数の情報のアイテム、たとえば、患者識別情報、液体が移送された日付および時間、ならびに／または、液体の体積もしくは他の特性が確認および記録された日付および時間、移送された医療用流体のタイプ（名称、ブランド、および／または濃度など）、移送された医療用流体の体積、ならびに／または、液体を内側に有する中間コンテナもしくはポンピング領域４０の１つもしくは複数のイメージなどを有している。同じまたは同様のデータファイルが、上記に説明されている適切な体積センサーのうちの任意の１つに関して生成され得る。いくつかの実施形態では、流体移送ユニット２００、流体移送デバイス３０、および／または流体移送システム８６は、１つまたは複数の測定器具、たとえば、１つまたは複数の体積センサーなどを含むことが可能である。いくつかの実施形態では、１つまたは複数の測定器具または体積センサーは、流体移送ユニット２２０の内部および／もしくは外部にあることが可能であり、または、器具もしくはセンサーの一部分がハウジング２１２の内側にあり、センサーの一部分がハウジング２１２から突出しているときなどは、流体移送ユニット２２０の部分的に外部および部分的に内部にあることが可能である。
【００３６】
図２Ｂｉは、マルチストローク流体ポンプアッセンブリ２２４などのような、この例における流体ポンプアッセンブリ２２４の形態における図１Ａの流体移送モジュール３１の例の背面図を図示している。図に示されているように、いくつかの実施形態では、流体ポンプアッセンブリ２２４は、この例における導管２３２および選択的に開閉可能な流体コネクター２２６の形態における入口流体コネクター３２と、この例における流体ストップコック２３０の形態における多方向フロー制御弁４１と、この例における導管２３６および選択的に開閉可能な流体コネクター２３４の形態における出口流体コネクター４２と、導管２３８を介して流体ストップコック２３０に取り付けられている（たとえば、結合されている）、この例におけるシリンジポンプ２４０の形態における中間コンテナ４０と、を含む。流体ポンプアッセンブリ２２４は、限定使用のまたは単回使用の使い捨てのデバイスであることが可能であり、それは、ルーチン的に除去され、廃棄され、流体移送ユニット２００の上の適切な位置において新しい使い捨てのデバイスと交換されるように構成されている。
【００３７】
流体ストップコック２３０などのような多方向フロー制御弁４１は、流体移送モジュール３１の中の流体経路の方向および／または配向の可変性および制御を可能にすることができるので、いくつかの実施形態では、とりわけ有用である可能性がある。いくつかの実施形態では、フロー制御弁４１は、本明細書の全体を通して図示されているように、複数の別個の設定を選択的に可能にするように構成され得、それぞれの設定は、流体移送モジュール３１の２つ以上の異なるコンポーネントの間の、流体移送モジュール３１の流体経路の中の流体接続を可能にし、また、流体移送モジュール３１の流体経路からの１つまたは複数の他のコンポーネントの１つまたは複数の他の流体接続を閉鎖または隔離する。フロー制御弁４１は、複数の別個の設定の間で変化するように構成され得る。
【００３８】
いくつかの実施形態では、図示されているように、フロー制御弁４１の中の設定または接続のそのような１つまたは複数の変化は、電子的に達成され、また、流体移送モジュール３１の中の流体圧力に対する変化から独立して達成され得る。たとえば、いくつかの実施形態では、流体移送モジュール３１の中の２つ以上のパーツまたはコンポーネントの間で、圧力差が生じる可能性があり、それは、流体移送モジュール３１の中の接続の任意の変化を伴わず、および／または、そのような圧力差の前には、互いに以前には流体連通していなかった流体移送モジュール３１の異なる部分の間の流体連通を可能にすることを伴わない。
【００３９】
いくつかの実施形態では、多方向フロー制御弁４１は、一方向弁または一連の一方向弁ではなく、むしろ、多方向フロー制御弁４１は、それぞれの特定の電子的に選択可能な設定において、流体移送モジュール３１の２つ以上のコンポーネントの間に完全な２方向の流体経路を提供することが可能である。たとえば、いくつかの実施形態では、１つまたは複数の別個の電子的に選択可能な設定において、フロー制御弁４１は、入口流体コネクター２２６と出口流体コネクター２３４との間に２方向の流体経路を提供することが可能であり、および／または、入口流体コネクター２２６と中間コンテナ４０もしくはシリンジポンプ２４０との間に２方向の流体経路を提供することが可能であり、および／または、中間コンテナ４０もしくはシリンジポンプ２４０と出口流体コネクター２３４との間に２方向の流体経路を提供することが可能である。いくつかの実施形態では、多方向フロー制御弁４１は、供給源コンテナ３９から引き出される流体が部分的にまたは完全に供給源コンテナ３９へ戻されることを可能にすることができ、それは、いくつかの状況では、たとえば、流体移送モジュール３１のプライミングおよび／またはパージングの間などに、とりわけ有利であることが可能であるが、このタイプの流体フローが企図される他の状況も使用され得る。
【００４０】
いくつかの実施形態では、流体コネクター２２６、２３４のいずれかまたは両方は、再シール可能で流体密封である業界標準医療用コネクター（たとえば、ＩＳＯ５９４または任意の他の業界標準に準拠するルアーコネクター）であることが可能であり、それは、たとえば、Ｃｌａｖｅ（登録商標）メス型医療用コネクターもしくはＳｐｉｒｏｓ（登録商標）オス型医療用コネクター、または、Ｃｈｅｍｏｌｏｃｋ（登録商標）医療用コネクターシステムのオス型側もしくはメス型側のいずれかなどであり、それらは、すべてＩＣＵ  Ｍｅｄｉｃａｌ，  Ｉｎｃ．によって販売されている。多くの他のものの中から、流体コネクター２２６、２３４として、または、その任意の部分として使用され得る、これらのデバイスおよび他のデバイスの実施形態の例が、特許文献５、特許文献６、および特許文献７に含まれており、それらのすべては、その全体が参照により本明細書に組み込まれている。先述の特許または公開された出願のいずれかに説明および／または図示されている任意の特徴、構造、材料、ステップ、またはコンポーネントは、本明細書の任意の他の部分に説明および／もしくは図示されている任意の特徴、構造、材料、ステップ、もしくはコンポーネントと共に、または、その代わりに使用され得る。
【００４１】
いくつかの実施形態では、流体ストップコック２３０は、ストップコック２３０の中の複数のアパーチャーおよび／またはチャネルの間の流体連通を選択的に可能にするデバイスを含むことが可能である。たとえば、図２Ｂｉに示されているように、および、上記に説明されているように、流体ストップコック２３０は、入口流体コネクター２２６、出口流体コネクター２３４、および、中間コンテナ４０またはシリンジポンプ２４０のうちの任意の２つの間の流体連通を選択的に可能にすることができる。ストップコック２３０の間の複数のアパーチャーおよび／またはチャネルの間の選択は、この例における回転可能なアクチュエーター２２８の形態におけるなどの、ストップコック２３０の上のドライビングインターフェース３３を作動させるために、流体移送ユニット２００の中の電気機械式コントローラー３６を利用することなどによって、ストップコック２３０を作動させることによって達成され得る。上記に説明されているように、流体移送デバイス３０に関連付けられた１つまたは複数のコンピュータープロセッサーから１つの電子信号または一連の電子信号を送信することによって、電気機械式コントローラー３６は制御され得る。図２Ｂｉに示されているように、回転可能なアクチュエーター２２８は、１つまたは複数の凹部および／または突出部を含むことが可能であり、それは、流体移送ユニットのドライバー２１２とインターフェース接続するように構成されており、それは、たとえば、アクチュエーター２２８の凹部および／または突出部と相補的であるか、それに概してマッチしているか、または、それに対応する１つまたは複数の形状を含む１つまたは複数の凹部および／または突出部を含むドライバー２１２とインターフェース接続するように構成されている。ドライバー２１２は、ドライバーモーターおよびドライバーシャフトを介して制御され得る。電気機械式コントローラー３６は、ドライバー２１２の移動を開始させるため、ならびに／または、ドライバー２１２の移動を継続および／もしくは停止させるため、ドライバーモーターおよびドライバーシャフトを活性化させる信号を送信することが可能である。回転可能なアクチュエーターがドライバー２１２とインターフェース接続しているとき、ドライバー２１２は、電気機械式コントローラーがストップコック２３０の中の複数のアパーチャーおよび／またはチャネルの間から選択することを可能にすることができる。本明細書におけるすべての実施形態と同様に、図２Ｅｉｉに関連して図示および／または説明されている任意のコンポーネント、構造、特徴、またはステップ（内部コンポーネントを含む）は、本明細書における任意の他の図もしくは実施形態に関連して図示および／もしくは説明されている任意のコンポーネント、構造、特徴、もしくはステップと共に、またはその代わりに使用され得る。
【００４２】
図２Ｄｉは、図２Ａｉの流体移送ユニット２００の拡大された部分的な正面図であり、それは、いくつかの実施形態による、取り付け領域２１０、ならびに、ドライバー２１２の凹部および／または突出部を図示している。しかし、凹部および／または突出部の多くの異なるタイプおよび／またはパターンが、たとえば、機能的なおよび審美的な好みに応じて使用され得るということが理解されることとなる。いくつかの実施形態では、凹部および／もしくは突出部のタイプおよび／もしくはパターンのうちの１つもしくは複数、ならびに／または、材料のタイプのうちの１つもしくは複数（たとえば、高い摩擦係数を有する粘着性のまたは摺動抵抗性の材料など）が、作動の間の回転方向の解除または滑りに対する抵抗を提供することが可能である。
【００４３】
図２Ｂｉに戻ると、この図は、また、シリンジポンプ２４０の例を図示している。いくつかの実施形態では、シリンジポンプ２４０は、作動ステム２４１などのようなアクチュエーターを含み、作動ステム２４１は、前後にまたは上下に往復運動させられ、内部プランジャーを移動させることが可能であり、それによって、シリンジポンプ２４０の内側の流体運搬体積を減少または増加させる。この例におけるシリンジポンプ２４０の形態におけるマルチストローク流体ポンプアッセンブリ２２４の第１のストロークは、シリンジポンプ２４０の本体部から外へ作動ステム２４１を少なくとも部分的に引き抜くことによって達成され得、それによって、シリンジポンプ２４０の中へ流体を引き込み、次いで、シリンジポンプ２４０の方向を逆転させ、シリンジポンプ２４０の本体部に向けて作動ステム２４１を押し戻し、それによって、引き込まれた流体をシリンジポンプ２４０から外へ排出する。
【００４４】
いくつかの実施形態では、たとえば、図２Ｂｉに示されているように、マルチストロークポンプアッセンブリ２２４の導管２３８は、流体ストップコック２３０と流体コネクター２２６、２３５との間に延在する導管２３２、２３６よりも長くなっていることが可能である。導管２３８は、一方の端部において流体ストップコック２３０に、および、他方の端部においてシリンジポンプ２４０に恒久的に連結され得る。また、他の配置も企図され、使用され得る。
【００４５】
図示されているように、いくつかの実施形態では、流体移送モジュール３１（たとえば、流体ポンプアッセンブリ２２４など）は、クローズドシステムの一部を形成するか、または、クローズドシステムを構成することが可能であり、（ｉ）流体移送モジュール３１の中に含有されているかもしくはシールされている液体、もしくは流体、および／もしくは蒸気は、流体移送モジュール３１から出ていくかもしくは逃げることを防止され、および／または、（ｉｉ）流体移送モジュール３１が流体移送デバイス３０の他のコンポーネントから切り離されているときに、液体、もしくは流体、および／もしくは蒸気が出ていくかもしくは逃げることは、臨床的に有意な様式で抵抗され、１つもしくは複数の臨床的なリスクもしくはマイナスの結果を減らすかもしくは回避する。示されているように、いくつかの実施形態では、流体移送デバイス３０の中の流体経路全体が、クローズドシステムまたはシールシステムを構成することが可能である。本明細書において使用されているように、「クローズドシステム」もしくは「シールされている」という用語、または、任意の同様の用語は、医学的注入の分野における慣習的な意味にしたがって使用されており、これらの用語は、任意の少量の逃げる流体または蒸気が通常の条件または使用の下で任意の重大で有害な臨床的影響を有しないこととなるように、通常の条件または使用の下で、流体が、流体移送モジュール３１または流体移送デバイス３０（または、そのコンポーネント）の内側に留まるという要件を含む。いくつかの実施形態では、図１Ａおよび図２Ｂｉに示されているように、流体移送モジュール３１は、モジュール３１のそれぞれの終端端部において（たとえば、入口流体コネクター３２において、中間流体コネクター３８において、および／または、出口流体コネクター４２において）、自動的に閉止可能および再シール可能であり得る。流体移送モジュール３１および／または流体移送デバイス３０のいずれかまたは両方がシールされ、および／または、クローズドシステムの一部を構成するときに、有害物質（たとえば、細菌もしくはウイルス、または他の微生物）が流体経路の中へ侵入するリスクが減らされ、また、有害物質（たとえば、化学療法薬物または免疫抑制薬物）が流体移送デバイス３０または流体移送モジュール３１からヘルスケア施設の周囲環境へ流出するリスクが減らされる。
【００４６】
図２Ｃｉは、図２Ａｉの流体移送ユニット２００に除去可能に取り付けられている流体移送モジュール３１の別のタイプの正面斜視図である。流体移送モジュール３１は、この例ではＳｐｉｒｏｓコネクターというよりもむしろ、Ｃｈｅｍｏｌｏｃｋコネクター２３４ａ、２２６ａが使用されているという点を除いて、図２Ｂｉの流体ポンプアッセンブリ２２４と同一である。コネクターまたはコネクターの組み合わせの任意の適切なタイプが使用され得る。図２Ｃｉに図示されているように、流体移送モジュール３１（マルチストローク流体ポンプアッセンブリ２２４とも称される）は、たとえば、流体移送ユニット２００の上のサポートのうちの１つまたは複数を使用することなどによって、流体移送ユニット２００に除去可能に取り付けられ得る。たとえば、図２Ｃｉに示されているように、作動ステム２４１の平坦な部分または端部は、可動プラットフォーム２２２の受け入れ領域の中へ挿入され得るか、または、それと連結され得、シリンジポンプ２４０の上の１つまたは複数のタブが、突出したホルダー２２０のうちの１つまたは複数の上に位置決めされ得るか、または、それらの間に挿入され得、シリンジポンプ２４０の本体部は、受容部２１８の中に受け入れられ得、導管２３８は、センサーデバイス２１４の中にまたはセンサーデバイス２１４の上に挿入され得、たとえば、１つまたは複数のセンサー２１５（１つまたは複数のセンシング領域２１５とも称される）を含むセンサーデバイス２１４の中のチャネルの中などに挿入され得、および／あるいは、流体ストップコック２３０の本体部は、流体移送ユニット２００の取り付け領域２１０の中もしくは上に位置決めされ得、または、その中へ挿入され得る。いくつかの実施形態では、流体移送デバイス３０（たとえば、この例におけるマルチストローク流体ポンプアッセンブリ２２４の形態のものなど）は、サポート２２０のうちの１つまたは複数を含む流体移送ユニット２００の上の面と接触した状態になるように、移送デバイス３０を単に前進させることによって、単一の運動で流体移送ユニット２００に取り付けられ得る。流体移送デバイス３０は、スナップフィット、摩擦嵌め、留め金、クリップ、保持アームもしくはドア、弾性的なバンド、または、任意の他の取り付け構造を含む、任意の適切な取り付け構造によって、流体移送ユニット２００の上に除去可能に保持され得る。
【００４７】
流体移送モジュール３１（たとえば、流体ポンプアッセンブリ２２４）が流体移送ユニット２００に除去可能に取り付けられると、流体移送デバイス３０の導管２３８の上の流体観察領域が、１つもしくは複数のセンサー２１５に隣接して、または、１つもしくは複数のセンサー２１５から適当なセンシング距離の中に、位置決めされ得る。図示されている例では、流体移送デバイス３０の流体観察領域は、多方向フロー制御弁４１（たとえば、流体ストップコック２３０）および／または中間コンテナもしくはポンピング領域４０（たとえば、シリンジポンプ２４０）の間に位置決めされている導管２３８の少なくとも一部分である。いくつかの実施形態では、流体移送デバイス３０の流体観察領域は、多方向フロー制御弁４１（たとえば、流体ストップコック２３０）および／または中間コンテナもしくはポンピング領域４０（たとえば、シリンジポンプ２４０）の間に位置決めされている導管２３８の一部分を含むことが可能である。いくつかの実施形態では、流体観察領域は、流体移送デバイス３０の上の別の位置に位置決めされ得、または、流体移送デバイス３０の上の複数の位置に位置付けされている複数の流体観察領域３０が存在することが可能である。
【００４８】
いくつかの実施形態では、１つまたは複数のセンサー２１５は、流体移送モジュール３１（たとえば、流体ポンプアッセンブリ２２４）の特定の１つまたは複数の領域の中に、液体、ガス（たとえば、１つまたは複数のバブル）、および／または、真空もしくは部分真空が存在しているかどうかということを決定するように構成され得る。たとえば、図に図示されているように、１つまたは複数のセンサー２１５は、導管２３８の少なくとも一部分の中に医療用流体が存在しているかどうか、または、導管２３８の中にガス（たとえば、大気もしくは空気バブル）または真空もしくは部分真空が存在しているかどうかということを決定するように構成され得る。いくつかの実施形態では、１つまたは複数のセンサー２１５は、導管２３８の一部分の中に医療用流体が存在しているかどうか、または、導管２３８の一部分の中にガス（たとえば、大気）または真空もしくは部分真空が存在しているかどうかということを決定することが可能である。１つまたは複数のセンサー２１５は、それに限定されないが、１つまたは複数の音響センサー（たとえば、超音波センサー）、赤外線センサー、レーザーセンサー、可視スペクトル光学センサー、モーションフローセンサー、または任意の他の適切なセンサーを含む、任意の適切なタイプのセンサーであることが可能である。インジケーターライトもしくはインジケータースピーカーまたは他のインジケーターなどのような、１つまたは複数のインジケーター２１６は、センサーデバイス２１４の上に位置決めされており、たとえば、液体が流体観察設定領域の中に存在しているときなど、センサーデバイス２１４が特定の条件をセンシングしているときを示すことが可能である。
【００４９】
また、図２Ｃｉは、この例における反転されたバイアル２４６の形態における流体供給源コンテナ３９を図示しており、反転されたバイアル２４６は、バイアルアダプター２４８に取り付けられており、そして、バイアルアダプター２４８は、この例における長手方向のロッキングメカニズムを備えたオス型流体コネクター２２６ａの形態における入口部コネクター３２に取り付けられている。いくつかの実施形態では、バイアルアダプター２４８は、フィルター付きの流体入口部および／または出口部２５０と、固定アームとを含み、固定アームは、バイアルをしっかりと受け入れるように構成されている。また、図２Ｃｉは、この例におけるＩＶバッグ２４４の形態における流体デスティネーションコンテナ４４を図示しており、ＩＶバッグ２４４は、（この例では、バッグスパイク２５４または他の流体接続ポイントによって）導管またはホース２５２に取り付けられており、そして、導管またはホース２５２は、流体移送モジュール３１の出口部コネクター４２に取り付けられている。図２Ｃｉの出口部コネクターは、この例における長手方向のロッキングメカニズムを備えたオス型流体コネクター２３４ａの形態になっている。ＩＶバッグ２４４は、サポートアーム２４２によってポールスタンド２０４から懸架されている。
【００５０】
図２Ａｉｉ〜図２Ｄｉｉは、図１Ａに示されている流体移送デバイス３０および図１Ｂに示されている流体移送システム８６のいくつかの実施形態に含まれ得る、さまざまな特徴、コンポーネント、および配置を図示している。図２Ａｉ〜図２Ｄｉと同様に、図２Ａｉｉは、電気機械式システム２００（流体移送ユニット２００とも称される）の例を図示しており、図２Ｂｉｉは、この例における流体ポンプアッセンブリ２２４の形態における流体移送モジュール３１の例を図示しており、図２Ｃｉｉは、図２Ａｉｉの流体移送ユニット２００に除去可能に取り付けられている図２Ｂｉｉの流体ポンプアッセンブリ２２４を図示しており、図２Ｄｉｉは、ドライバー２１２の例を図示している。別段の注記がない限り、図２Ａｉｉ〜図２Ｄｉｉの中の参照番号は、図１Ａ〜図２Ｄｉのコンポーネントと同じであるかまたはそれと概して同様のエレメントを表している。たとえば、図２Ａｉｉの流体移送ユニット２００は、１つまたは複数のベースサポート２２３がベースサポート領域２２３ａにおいてハウジング２０２の下側を横切って延在しているという点を除いて、図２Ａｉに示されている流体移送ユニット２００と概して同様である。また、図２Ａｉｉは、１つまたは複数のトレイ２８０を図示しており、１つまたは複数のトレイ２８０は、本明細書で説明および企図される１つまたは複数のコンテナおよび／または導管を支持するように構成されたハウジング２０２に取り付けられている。１つまたは複数のトレイ２８０は、コンテナおよび／または導管を支持するためのさまざまな構造のうちのいずれか１つを含むことが可能である。たとえば、いくつかの実施形態では、１つまたは複数のトレイ２８０は、バイアルを保持することができる１つまたは複数のスロットを備えた１つまたは複数のラックを含むことが可能である。いくつかの実施形態では、１つまたは複数のトレイ２８０は、供給源バッグおよび／またはＩＶバッグ、たとえば、生理食塩水もしくは希釈剤バッグおよび／または治療用液体もしくは医療用液体を含有するバッグなどを支持するように構成され得る。１つまたは複数のトレイ２８０は、ハウジング２０２に除去可能に取り付けられ得る。いくつかの実施形態では、１つのトレイ２８０は、生理食塩水または希釈剤供給源コンテナを支持するように構成され得、別のトレイ２８０は、治療用液体または医療用液体を備えた供給源コンテナを支持するように構成され得る。他の構造的な違いの中でも、図２Ａｉｉのサポート２２０は、図２Ａｉに示されているものとは異なって形状決めされているが、それらの機能は同じであるかまたは同様である。本明細書のすべての実施形態と同様に、図２Ａｉ〜図２Ｄｉに関連して説明および／または図示されている任意の実施形態の任意の特徴、構造、材料、ステップ、またはコンポーネントは、それ自体によって、または、図２Ａｉｉ〜図２Ｅｉｉに関連して説明および／もしくは図示されている任意の他の実施形態の任意の他の特徴、構造、材料、ステップ、もしくはコンポーネントと共に、もしくはそれらの代わりに使用され得る。
【００５１】
別の例として、図２Ｂｉｉおよび図２Ｃｉｉは、また、ストップコックハンドル２４５の例を図示している。とりわけ、図２Ｂｉｉは、流体ポンプアッセンブリ２２４に取り付けられているストップコックハンドル２４５の背面図を図示しており、図２Ｃｉｉは、流体ポンプアッセンブリ２２４に取り付けられ、流体移送ユニット２００に除去可能に取り付けられているストップコックハンドル２４５の正面斜視図を図示している。いくつかの実施形態では、ストップコックハンドル２４５は、流体ポンプアッセンブリを把持するための、および／または、流体移送ユニット２００に対して流体ポンプアッセンブリ２２４を位置決めするための、補助具を含む。たとえば、いくつかの実施形態では、ストップコックハンドル２４５は、流体移送ユニット２００の１つまたは複数の特徴へのおよび／またはそれからの、流体ポンプアッセンブリ２２４の位置決め（たとえば、取り付ける、係合させる、除去する、および／または解除する）を助けるように構成され得る。任意の他の適切な使用の中でも、ストップコックハンドル２４５は、たとえば、回転可能なアクチュエーター２２８をドライバー２１２に係合させるか、もしくは回転可能なアクチュエーター２２８をドライバー２１２から解除することを助けることが可能であり、センサーデバイス２１４の中もしくは上へ導管２３８を押し込むことを助けることが可能であり、導管２３８をセンサーデバイス２１４から除去することを助けることが可能であり、可動プラットフォーム２２２の受け入れ領域に作動ステム２４６を取り付けるか、もしくは可動プラットフォーム２２２の受け入れ領域から作動ステム２４６を除去することを助けることが可能であり、シリンジポンプ２４０の上の１つもしくは複数のタブを、突出したホルダー２２０の１つもしくは複数の上もしくは間に位置決めすることを助けることが可能であり、シリンジポンプ２４０の本体部を１つもしくは複数の受容部２１８の中へ位置決めすることを助けることが可能であり、および／または、ストップコック２３０の本体部を取り付け領域２１０の中もしくは上へ位置決めすることを助けることが可能である。
【００５２】
いくつかの実施形態では、ストップコックハンドル２４５は、ストップコック２３０に除去可能に取り付けられ得る。いくつかの実施形態では、ハンドルは、たとえば、図１Ａを参照して上記に説明されているさまざまな位置へストップコックを手動で作動させるために、操作される（たとえば、回転させられる、スライドさせられる、押される、および／または引かれる）ように構成されている。ストップコックハンドル２４５は、たとえば、図１Ａ、図１Ｂ、および図２Ａｉ〜図２Ｄｉに示されている実施形態を含む、本明細書で図示および企図される任意の実施形態において利用され得るということが理解されることとなる。
【００５３】
図２Ｅｉｉは、図２Ｃｉｉに示されている流体移送ユニット２００および流体ポンプアッセンブリ２２４の後方斜視断面図であり、さまざまな内部および外部の機能的なコンポーネントを図示している。たとえば、図２Ｅｉｉに示されているように、いくつかの実施形態では、センサー２２５（たとえば、カメラ）などのような測定器具が、ハウジング２０２の中に位置決めされており、（たとえば、流体移送モジュール３１または流体ポンプアッセンブリ２２４のイメージをキャプチャーすることによって）中間コンテナまたはポンピング領域４０の中の流体の体積、またはタイプ、または濃度、または色、および／または粘度などのような、流体移送モジュール３１または流体ポンプアッセンブリ２２４の内容物の１つまたは複数の特徴を決定し、上記に説明されているようなデータファイルを提供することが可能である。いくつかの実施形態では、シュラウド２５５が、１つまたは複数の透明な受容部２１８に隣接して、またはその近くに、または概してその周りに位置決めされており、有利には、センサー２２５の精度を高めるために、異常な供給源からの望ましくないライトの進入に抵抗することが可能である。たとえば、いくつかの実施形態では、シュラウド２５５は、１つまたは複数の透明な受容部２１８を通過する光をセンサー２２５に向けて方向付けするように構成されており、それによって、センサー２２５に利用可能な光の量を増加させることが可能である。センサー２２５がカメラであるとき、シュラウド２５５は、イメージをより正確にし、流体移送ユニット２００のプロセッサーによってより容易におよびより高速に処理できるようにすることを助けることが可能である。
【００５４】
流体移送ユニット２００は、１つまたは複数のコンピュータープロセッサー２９７、２９８を含むことが可能であり、１つまたは複数のコンピュータープロセッサー２９７、２９８は、図１Ａの電子機械式コントローラー３６、センサー２１４、体積センサー２２５、ストップコックモーター２９０、および／もしくはプラットフォームモーター２９６などのうちのいずれかもしくはすべての一部を形成するか、または、それらと電子通信していることが可能である。いくつかの実施形態では、１つまたは複数のコンピュータープロセッサー２９７、２９８は、ｐｉ  ｂｏｘおよび／または制御ボードを含むことが可能である。流体移送ユニット２００は、電源２９５を含有するかまたは支持することが可能であり、電源２９５は、流体移送ユニット２００の１つまたは複数のコンポーネントに電力を提供するように構成されている。ハウジング２０２は、シール２９３を含むことが可能であり、シール２９３は、ハウジング２０２の中への進入、および／または、ハウジング２０２から流体が逃げることに抵抗するかまたは防止するように構成されている。
【００５５】
いくつかの実施形態では、流体移送ユニット２００は、１つまたは複数の存在センサー２９４ａ、２９４ｂ、２９４ｃを含むことが可能である。１つまたは複数のセンサー２９４ａ、２９４ｂ、２９４ｃは、ハウジング２０２の中および／または上に位置決めされ得、１つまたは複数の構造の存在または不存在を決定することが可能である。いくつかの実施形態では、センサー２９４ａ、２９４ｂ、２９４ｃのうちの１つまたは複数は、赤外線センサーまたは任意の他の適切なセンサーであることが可能である。センサー２９４ａ、２９４ｂのうちの１つまたは複数は、流体供給源コンテナ３９（たとえば、バイアル２４６など）、供給源アダプター２５０、および／または供給源流体コネクターが、存在しているか、および／または流体移送ユニット２００に接続されているかどうかを決定することが可能である。いくつかの実施形態では、センサー２９４ａは、供給源コンテナ２４６コネクター（たとえば、Ｃｈｅｍｏｌｏｃｋ（登録商標）医療用コネクターシステムのオス側またはメス側など）が、Ｃｈｅｍｏｌｏｃｋ（登録商標）コネクター２２６ａなどのような流体移送ユニット２００の上の対応するコネクターと適正に係合されているかどうかということを決定することが可能である。センサー２９４ｂは、中間コンテナ４０、たとえば、流体ポンプアッセンブリ２２４など、および／または、コネクター２２６ａ、たとえば、Ｃｈｅｍｏｌｏｃｋ（登録商標）コネクターのオス側またはメス側などが、存在しているか、ならびに／または、ハウジング２０２および／もしくは供給源コンテナ２４６の上の対応するコネクターと適正に係合されているかどうかということを決定することが可能である。センサー２９４ｃは、デスティネーションコンテナ４４、たとえば、ＩＶバッグ２４４など、および／または、デスティネーション流体コネクターが、存在しているか、および／または、流体移送ユニット２００に接続されているかどうかということを決定することが可能である。いくつかの実施形態では、センサー２９４ｃは、デスティネーションコンテナ４４コネクター、たとえば、Ｃｈｅｍｏｌｏｃｋ（登録商標）医療用コネクターシステムのオス側またはメス側などが、Ｃｈｅｍｏｌｏｃｋ（登録商標）コネクター２３４ａなどのような、流体移送ユニット２００の上の対応するコネクターと適正に係合されているかどうかということを決定することが可能である。いくつかの実施形態では、センサー２９４ａ、２９４ｂ、２９４ｃのいずれかが、流体移送ユニット２００のコンポーネントが存在していないということを決定する場合には、センサー２９４ａ、２９４ｂ、２９４ｃは、コントローラー３６に信号を送信し、流体移送プロセスの開始を防止し、および／または、進行中の流体移送を終了させることが可能である。センサー２９４ａ、２９４ｂ、２９４ｃは、すべてのコンポーネントが存在しているわけではない、または流体移送ユニット２００と適正に係合されているわけではないということをユーザーに信号で伝えるインジケーターをトリガーすることが可能である。
【００５６】
図２Ａｉ、図２Ａｉｉ、および図２Ｃｉｉに示されているように、いくつかの実施形態では、ハウジングの中の１つまたは複数のアパーチャーは、存在センサー２９４ａ、２９４ｂ、２９４ｃのうちの１つまたは複数が、ハウジングの中から本質的にまたは完全に妨げられずに、ハウジングの外側の領域に通信することを許容することが可能である。図示されているように、存在センサー２９４ａ、２９４ｂ、２９４ｃのうちの１つまたは複数は、互いに実質的に同一線上の様式で位置決めされ得、および／または、流体移送モジュール３１の主長手方向軸線と実質的に同一線上の様式で位置決めされ得（たとえば、存在センサー２９４ａ、２９４ｂ）、および／あるいは、存在センサー２９４ａ、２９４ｂ、２９４ｃのうちの１つまたは複数の他のものは、非同一線上の様式で、または、流体移送モジュール３１の主長手方向軸線に対して所定の角度でもしくは垂直に、位置決めされ得る（たとえば、存在センサー２９４ｃ）。いくつかの実施形態では、示されているように、センサーのうちの１つもしくは複数またはすべては、電子的な流体移送システムのハウジングの内側に位置決めされ、および／または凹んでおり、パネル（センサーは、パネルを通してアイテムを検出するように構成されている）が、本質的に、実質的に、または完全に平面的になっている。図示されているように、センサーのうちの１つまたは複数は、電子的な流体移送システムのハウジングの外側の任意の外部ワイヤーを含まず、および／または、それによって取り付けられていない。
【００５７】
いくつかの実施形態では、センサー２９４ａ、２９４ｂ、２９４ｃのうちの１つまたは複数は、流体移送デバイスの上のコネクターなどのような、電子的な流体移送デバイスに取り付けられている流体移送モジュールの少なくとも一部分の存在または不存在を検出するように構成され得る。いくつかの実施形態では、センサーのうちの１つまたは複数（たとえば、２９４ａ、２９４ｂ）は、追加的にまたは代替的に、流体供給源システムの一部を形成するかまたはそれに接続されている、コネクター、バイアルアダプター、バイアル、バッグ、または導管などのような、流体供給源システムの少なくとも一部分の存在もしくは不存在、または、流体供給源システムの少なくとも一部分との接続を検出するように構成され得る。いくつかの実施形態では、センサーのうちの１つまたは複数（たとえば、２９４ｃ）は、追加的にまたは代替的に、流体デスティネーションシステムの一部を形成するかまたはそれに接続されている、コネクター、バッグ、または導管などのような、流体デスティネーションシステムの少なくとも一部分の存在もしくは不存在、または、流体デスティネーションシステムの少なくとも一部分との接続を検出するように構成され得る。いくつかの実施形態では、流体移送モジュール３１の１つもしくは複数の検出、流体供給源システムへの接続の検出、および／または、流体デスティネーションシステムへの接続の検出は、コンピュータープロセッサーまたは電子機械式コントローラーの他のコンポーネントに関する、流体移送が開始または継続することを可能にするためのゲーティングステップまたは必要なステップであることが可能である。
【００５８】
図３は、ユーザーインターフェース７８を図示しており、ユーザーインターフェース７８は、この例における遠隔タブレットの形態における流体移送ユニット２００と共に使用され得る。ユーザーインターフェース７８は、再充電可能な内部バッテリー、スクリーンによるユーザー選択および入力を可能にするタッチセンサー式のスクリーン、ならびに、１つまたは複数の追加的なまたは代替的なユーザー入力２５６、たとえば、（示されているような）ボタン、ノブ、スライダー、もしくはロッキングスイッチ、または、ローリングダイアル、または任意の他のユーザー入力などを含むことが可能である。ユーザーインターフェース７８は、任意の適切な電子的なプロトコルまたは電子コミュニケーターを利用して、１つまたは複数の流体移送ユニット２００と、ならびに／または、１つもしくは複数の患者および／もしくは薬物情報記憶デバイスもしくはネットワーク７０と電子的に通信することが可能である。いくつかの実施形態では、ユーザーインターフェース７８は、流体移送ユニット２００に固定されており、たとえば、流体移送ユニット２００のハウジングの中に取り付けられているか、または、流体移送ユニット２００のハウジングの中に少なくとも部分的に含有されている。
【００５９】
ユーザーインターフェース７８は、ユーザーと電子的な記憶媒体との間で、情報のさまざまなアイテムを表示もしくは搬送することが可能であり、および／または、１つもしくは複数の実行可能なインストラクションを、流体移送ユニット２００の中のコンピュータープロセッサーへ、もしくは、流体移送ユニット２００の中の電気機械式ハードウェアへ搬送し、流体移送に関する１つもしくは複数のアクションを実施することが可能である。たとえば、ユーザーインターフェース７８は、（たとえば、ユーザー入力または電子的な伝送によって、）流体移送を実施している薬剤師もしくは技術者の身元、患者の身元、医療用流体の名称、移送されることとなる医療用流体の体積、ロット番号、医療用流体の有効期限、ならびに／または、流体移送が実施された日付および時間などを受け入れ、および／または記憶することが可能である。また、他の例として、ユーザーインターフェース７８は、ユーザーインターフェース７８を介してユーザーからのコマンドを受信および搬送することによって、ならびに／または、流体移送の進行および／もしくは状態に関する流体移送ユニット２００からのメッセージを表示することによって、流体移送を制御することを支援することが可能であり、それは、たとえば、流体移送を開始させるコマンド、および／あるいは、流体移送を中止するコマンド、および／あるいは、任意の所与の瞬間に移送される流体の量を示す１つまたは複数のメッセージ、あるいは、特定の期間にわたる特定の患者または薬剤師に関する流体移送の履歴、あるいは、流体移送が完了しなかったということ、または、流体供給源コンテナ３９が接続されてないかもしくは空であるということ、または、流体デスティネーションコンテナ４４が接続されていないかもしくは満杯であるということを示す、１つまたは複数のエラーメッセージ、あるいは、任意の他の有用なメッセージなどである。
【００６０】
図４に示されているように、いくつかの実施形態では、ユーザーインターフェース７８は、複数の異なる流体移送デバイス３０、および、流体移送デバイス３０の複数の異なるタイプと広く互換性があることが可能である。たとえば、単一のユーザーインターフェース７８は、同じタイプの複数の異なる流体移送デバイス３０、または、異なるタイプの複数の異なる流体移送デバイス３０と、（たとえば、それらへおよび／またはそれらからデータを移送することによって）電子的に通信するように構成され得、それらは、たとえば、複数の異なる治療用流体によって、および／または、複数の異なる患者に関して、デスティネーションコンテナを充填することなど、別々の流体移送動作を実施している。ユーザーインターフェース７８は、そのような動作のうちのいずれかまたは複数またはすべてからの情報を同時にまたは概して同時に制御および／または記録するように構成され得る。ユーザーインターフェース７８は、複数の異なる電子コミュニケーター、および／または、そのような電子コミュニケーターのいずれかと共に使用するための複数の異なる通信プロトコルを含む、複数の異なる通信能力を含むことが可能である。ユーザーインターフェース７８は、電子的に更新され得、もともとはユーザーインターフェースの上で使用されていないかまたはインストールされていないプロトコルを使用して、それが電子的に通信することを可能にし、それは、電子通信システムの基本コンポーネントの交換を必要とすることなく、ユーザーインターフェース７８が将来のまたは異なるタイプの流体移送デバイス３０と互換性を持つようになることを可能にすることができる。
【００６１】
図５Ａ〜図５Ｃは、いくつかの実施形態による、流体移送モジュール４５のさまざまな概略図である。図５Ａは、供給源コンテナ３９に流体連通しているバブルトラップ１５を有する流体移送モジュール４５の概略図である。図５Ｂは、供給源コンテナ３９から切り離されており、患者７０に流体連通している、図５Ａの流体移送モジュール４５の概略図である。図５Ｃは、図１Ａの流体移送モジュール３１に流体連通しているバブルトラップ１５を有する流体移送モジュール４５の概略図である。別段の注記がない限り、図５Ａ〜図５Ｃの中の参照番号は、先行する図の中のコンポーネントと同じまたは概して同様のコンポーネントを表している。
【００６２】
図５Ａに示されているように、流体移送モジュール４５は、バブルトラップ１５と、供給源コンテナ３９に流体連通しているデスティネーションコンテナ４４とを含むことが可能である。デスティネーションおよび供給源コンテナ４４、３９は、図１Ａを参照して上記に説明されているような任意の適切なコンテナを含むことが可能である。たとえば、いくつかの実施形態では、供給源コンテナ３９は、バイアルまたはシリンジであることが可能であり、デスティネーションコンテナ４４は、ＩＶバッグまたはカセットリザーバー（たとえば、ＣＡＤＤ（登録商標）カセットリザーバー）であることが可能である。図５Ａに示されていないが、バブルトラップ１５は、任意の適切なコネクターまたはコネクターの配置によって、デスティネーションおよび供給源コンテナ４４、３９に接続され得る。たとえば、バブルトラップ１５の入口部は、ニードルレスコネクター（たとえば、ＮＥＵＴＲＯＮ  ＣＬＡＶＥ（登録商標）コネクター、ＭＩＣＲＯＣＬＡＶＥ（登録商標）Ｎｅｕｔｒａｌ  Ｄｉｓｐｌａｃｅｍｅｎｔコネクターなど）に取り付けるように構成され得、ニードルレスコネクターの反対側端部は、たとえば、シリンジに取り付けるように構成され得る。別の例として、バブルトラップ１５の出口部は、たとえば、ＣＡＤＤ（登録商標）カセットの流体ラインの端部において、オープンメス型ハブに取り付けるように構成され得る。オープンメス型ハブは、なかでも、たとえば、ＣＬＡＶＥ（登録商標）コネクターを含む、任意のクローズドコネクター（ルアーであるかまたはルアーでない）であることが可能であるということが認識されることとなる。
【００６３】
いくつかの実施形態では、バブルトラップ１５は、コンテナ（たとえば、デスティネーションおよび供給源コンテナ４４、３９）に連結されることとなるアダプターとして提供され得る。たとえば、いくつかの実施形態では、バブルトラップ１５は、コンテナとのパッケージにおいて提供され得る。たとえば、いくつかの実施形態では、バブルトラップ１５は、シリンジ、カセット、流体バッグ、流体ラインなどとのパッケージにおいて提供され得る。パッケージは、組み立てられているかまたは分解されている、より多くのまたはより少ないコンポーネントを含むことが可能であるということが認識されることとなる。
【００６４】
図５Ａをさらに参照すると、医療用流体は、供給源コンテナ３９から、バブルトラップ１５を通して、デスティネーションコンテナ４４の中へ移送され得る。供給源コンテナ３９および流体モジュール４５のさまざまなコンポーネント（たとえば、コネクターおよび流体ライン）は、ガス（たとえば、空気）を含有することが多いので、医療用流体が供給源コンテナ３９から移送されるときに、供給源コンテナ３９、または、さまざまなコンポーネントのうちの１つのいずれかから、経路に沿って、ガスも同様に移送されることが多い。しかし、ガスの存在は、デスティネーションコンテナ４４の中で望ましくない。その理由は、それが、患者の血液ストリームに進入した場合に、患者にリスクをもたらすからである（たとえば、空気塞栓症は、不快感から死に至るまでの範囲の医学的合併症を引き起こす可能性がある）。結果として、典型的に、デスティネーションコンテナ４４が患者に流体接続される前に、デスティネーションコンテナ４４からガスのすべてを手動で除去することに、かなりの労力が費やされる。有利には、図５Ａのバブルトラップ１５は、デスティネーションコンテナ４４の中へのガスのフローを防止するかまたはそうでなければ抑制するように構成され得る。より詳細に下記に説明されることとなるように、バブルトラップ１５は、ガスをキャプチャーすること、および、液体がその中を通って流れることを可能にすることの両方を行うように構成され得る。
【００６５】
いくつかの実施形態では、デスティネーションコンテナ４４が流体によって充填されると、流体移送モジュール４５は、流体供給源３９から切り離され、次いで、患者に接続され得る。たとえば、図５Ｂは、供給源コンテナ３９から切り離されており、患者７０に流体連通している、図５Ａの流体移送モジュール４５の例示的な概略図である。供給源コンテナ３９は、流体移送モジュール４５から切り離されて示されている。図５Ｂのデスティネーションコンテナ４４は、供給源コンテナとして作用しているということ、ならびに、その名称は、これを反映するように調節されてはおらず、流体移送モジュール４５のモジュール性が強調および図示され得るようになっているということが認識されることとなる。図５Ｂでは、バブルトラップ１５は、患者に到達する前にデスティネーションコンテナ４４または流体ラインから排出される空気をトラップする（キャプチャーするとも称される）ように構成され得る。図５Ｂに示されていないが、いくつかの実施形態では、空気検出システムが、バブルトラップ１５と患者７０との間に位置決めされており、それがガスまたはバブルを検出する場合には、アラームを鳴らし、および／または、流体の移送を停止させることが可能である。
【００６６】
図５Ｃは、図１Ａの流体移送モジュール３１に流体連通しているバブルトラップ１５を有する流体移送モジュール４５の概略図である。いくつかの実施形態では、流体移送モジュール４５は、流体移送モジュール３１に除去可能に取り付けられ得、流体移送モジュール４５が、たとえば、図５Ｂに示されているように、患者に接続され得るようになっている。
【００６７】
図６Ａ〜図６Ｃは、いくつかの実施形態によるバブルトラップ１５のさまざまな概略図である。図６Ａは、細長いチャンバー１７および出口突起部１８を有するバブルトラップ１５の概略図である。図６Ａ’は、入口部ルアーコネクター２０ａおよび出口部ルアーコネクター２０ｂを備えた図６Ａのバブルトラップ１５の概略図である。図６Ｂは、湾曲したチャンバー１７および出口突起部１８を有するバブルトラップ１５の概略図である。図６Ｃは、湾曲したチャンバー１７ならびに入口突起部１２および出口突起部１８を有するバブルトラップ１５の概略図である。別段の注記がない限り、図６Ａ〜図６Ｃの中の参照番号は、先行する図の中のコンポーネントと同じであるかまたは概して同様のコンポーネントを表している。
【００６８】
図６Ａに示されているように、バブルトラップ１５は、入口部１６ａ、出口部１６ｂ、およびチャンバー１７を含むことが可能である。チャンバー１７は、入口部１６ａと出口部１６ｂとの間に１つまたは複数の流路を含むことが可能である。いくつかの実施形態では、入口部１６ａおよび出口部１６ｂは、チャンバー１７の反対側端部に位置決めされ得るが、任意の適切な配置も認識される（たとえば、同じ側など）。いくつかの実施形態では、チャンバー１７は、入口部１６ａから流入するガス（たとえば、空気）をトラップするように構成され得る。チャンバー１７に流入する空気をトラップすることを助けるために、入口部１６ａおよび／または出口部１６ｂは、チャンバー１７の中へ延在する１つまたは複数の突起部を含むことが可能である。これは、有利には、流れる間にバブルが典型的に静止および／または蓄積するようになるチャンバーの壁部から離れるように、入口部１６Ａおよび／または出口部１６ｂの開口部を位置決めすることが可能である。このように、バブルトラップ１５は、チャンバー１７の周辺領域に空気を閉じ込めることによって、空気をトラップするように構成され得る。
【００６９】
図６Ａに示されているように、トラップ１５は、出口突起部１８を含むことが可能であり、出口突起部１８は、たとえば、出口部１６ｂに流体連通している出口突起部チャネル１９を含む。そのような実施形態では、バブルトラップ１５は、流路を画定していることが可能であり、流体が出口部１６ｂに到達し、出口部１６ｂを越えて流れる前に、流体がチャンバー１７および出口突起部チャネル１９を通ってその流路の中を流れることを強制され得る。いくつかの実施形態では、１つまたは複数の突起部（たとえば、突起部１８）は、バブルが入口部１６ａから出口部１６ｂへ直接的に流れることを抑制するように構成され得る。空気が液体の中にあるときに重力に逆らって上向きに移動しようとするので、バブルが、流れる間のバブルトラップの配向にかかわらず、チャンバー１７の周囲に向けて移動しようとする。有利には、出口部１６ｂが、たとえば、出口突起部１８などを介して、チャンバー１７の周辺から離れるように位置決めされているときに、バブルトラップ１５は、全方向性のトラップになることが可能であり、流体フローまたは規準系（たとえば、中立位置）に対するその配向にかかわらず、それがチャンバー１７の中の空気をトラップするように構成されるようになっている。突起部チャネルが、本明細書で議論されており、出口部１６ａに流体連通しているものとして図示されているが、本明細書で議論されている任意の突起部チャネルが、入口部１６ａに流体連通している入口突起部チャネルとなり得るということが理解されることとなる。
【００７０】
いくつかの実施形態では、１つまたは複数の突起部は、チャンバー１７の空気トラップ能力および／または容量を最大化するように構成され得る。たとえば、いくつかの実施形態では、１つまたは複数の突起部（たとえば、突起部１８）は、出口突起部チャネル１９の開口部１６ｃがチャンバー１７の中心の近くにまたは中心にあるように位置決めされ得る。これは、有利には、空気がチャンバー１７の周辺に沿ってどこかに静止した後に、空気（たとえば、１つまたは複数の空気バブル）が出口部１６ｂに進入する可能性を最小化することが可能である。いくつかの実施形態では、図面に示されているように、出口突起部チャネル１９の開口部１６ｃは、出口部中心軸線を有することが可能であり、出口部中心軸線は、入口部１６ａの入口部中心軸線とは整合されておらず、および／または、それからオフセットされている。たとえば、図面に示されているように、開口部１６ｃは、開口部１６ｃによって画定される平面に対して概して垂直の中心軸線を有することが可能である。いくつかの実施形態では、開口部１６ｃの中心軸線は、入口部１６ａの中心軸線および出口部１６ｂの中心軸線のうちの少なくとも１つからオフセットされ得る。開口部１６ｃが入口部１６ａおよび出口部１６ｂのうちの１つまたは複数とは整合されていないということは、入口部１６ａから出口部１６ｂへの流体経路を分裂させ、それによって、任意の空気バブルがチャンバー１７の周辺に沿って静止することを引き起こす。これは、バブルトラップ１５の中の空気の収集を促進させることが可能である。図６Ａに示されているように、いくつかの実施形態では、出口突起部チャネル１９は、出口突起部１８の先端部の近くに、湾曲した領域を有することが可能であり、出口突起部チャネル１９の開口部１６ｃが出口突起部１８の側部にあるようになっている。これは、出口突起部チャネル１９の入口部１６ａから開口部１６ｃへの直接的な経路のすべてまたは大部分を除去することによって、空気が出口突起部チャネル１９に進入する可能性をさらに低減させることが可能であり、その経路は、たとえば、出口突起部チャネル１９がその代わりに真っ直ぐになっており、入口部１６ａに面する出口突起部１８の先端部の上に開口されているとした場合に、図６Ａの中の入口部１６ａから出口部１６ｂへ（たとえば、真っ直ぐに）存在することとなる経路を含む。出口突起部チャネル１９は、出口突起部１８の中へ任意の適切な距離だけ延在することが可能であるということ、および、湾曲した領域は、その任意の適切な部分に沿って位置決めされ得るということが認識されることとなる。
【００７１】
いくつかの実施形態では、図面に示されているように、出口突起部チャネル１９の開口部１６ｃは、バブルトラップ１５の入口部１６ａに対して、より小さくなっていることが可能である。開口部１６ｃのより小さいサイズは、有利には、出口突起部チャネル１９を通して移送される空気のその量を最小化することが可能である。開口部１６ｃのサイズは、出口突起部チャネル１９の中へおよび／またはそれを通して流体を押し込むために必要とされる力を増加させることが可能である。バブルトラップ１５は、本明細書で説明されているように、自動コンパウンダー（ｃｏｍｐｏｕｎｄｅｒ）と共に使用され、バブルトラップ１５の開口部１６ｃを通して流体を駆動することが可能である。しかし、バブルトラップ１５の開口部１６ｃは、任意の適切なサイズおよび／または形状を含むことが可能であり、出口突起部チャネル１９の中へのおよび／またはそれを通した流体の移送を可能にするということが理解されることとなる。たとえば、出口突起部チャネル１９の開口部１６ｃは、手動コンパウンダー（たとえば、シリンジ）の使用によって、流体の移送を可能にするように構成され得る。また、１つまたは複数の突起部（たとえば、突起部１８）の先端部が、出口突起部１８に衝突するかまたはそうでなければ出口突起部１８の直ぐ近くに来るバブルを偏向させるように構成され得るということが認識されることとなる。１つまたは複数の突起部の形状は、たとえば、真っ直ぐな、湾曲した、円筒形状の、テーパー付きの、円錐形状の（たとえば、突起部１８）などのような、任意の適切な形状を有することが可能であるということがさらに認識されることとなる。チャンバー１７を通る流体およびガスのフローは、図７Ａ〜図７Ｈを参照して下記により詳細に説明されることとなる。
【００７２】
バブルトラップ１５は、任意の適切な流体容量、または内部体積を有することが可能であり、それは、なかでも、約１ｃｃから約２ｃｃ、約１ｃｃから約５ｃｃ、約１ｃｃから約１０ｃｃ、約１ｃｃよりも大きい、約２ｃｃよりも大きい、および／または、約２０ｃｃよりも小さい（たとえば、約３ｃｃから約４ｃｃ、約５ｃｃから約１０ｃｃなど）ものを含む。この流体容量の任意の適切な部分は、たとえば、容量の１０％以下、容量の２０％以下、容量の３０％以下、容量の４０％以下、容量の５０％以下、容量の６０％以下、または、容量の７０％以下などのような、空気をトラップするように使用され得る。また、他のパーセンテージ（より多いかまたはより少ない）および範囲（より狭いかまたはより広い）が認識される。いくつかの実施形態では、バブルトラップ１５のトラップ容量は、バブルトラップ１５の位置に関係なく一定であることが可能である。他の実施形態では、バブルトラップ１５のトラップ容量は、チャンバー１７のサイズおよび形状、１つまたは複数の突起部の長さ、および、それらの開口部の場所、ならびに／または、流体フローおよび重力に対するバブルトラップ１５の配向などのような、数え切れないほどの要因に依存する可能性がある。たとえば、図６Ａに示されている配向にあるときに、バブルトラップ１５は、トラップ領域を有するように構成され得、トラップ領域は、チャンバー１７の上部表面から出口突起部チャネル１９の開口部１６ｃへ下向きに延在している。いくつかの実施形態では、このトラップ領域は、なかでも、上述の容量のうちの１つに対応することが可能である。図６Ａに図示されているバブルトラップ１５は、たとえば、それが任意の軸線もしくは組み合わせ軸線に沿って９０度回転させられるときに、および／または、それが軸線（たとえば、１つの、２つの、および／または３つの軸線）の任意の組み合わせに沿って任意の数の度数だけ回転させられるときに、同じまたはほぼ同じ容量を有することが可能である。そして、他の実施形態では、図６Ａに図示されているバブルトラップ１５は、たとえば、それが任意の軸線もしくは組み合わせ軸線に沿って９０度回転させられるときに、および／または、それが軸線（たとえば、１つの、２つの、および／または３つの軸線）の任意の組み合わせに沿って任意の数の度数だけ回転させられるときに、１つまたは複数の異なる容量を有することが可能である。さまざまなトラップ容量が、バブルトラップの配向の関数として、図７Ａ〜図７Ｈに図示されており、下記に説明されることとなる。
【００７３】
先述の特徴のうちのいくつかまたはすべての結果として、バブルトラップ１５は、供給源コンテナ（たとえば、供給源コンテナ３９）、デスティネーションコンテナ（たとえば、デスティネーションコンテナ４４）、および／または、流体ラインに接続されているコンポーネントから放出されたバブルをトラップすることが可能である。図６Ａに示されているように、チャンバー１７は、バブルが収集するための、および、液体がそれを通って流れるためのスペースを提供する。このトラップ容量の結果として、バブルトラップ１５は、有利には、空気塞栓症のリスクを低減させるために使用され得、または、最小でも、それらが起こる頻度を低減させるために使用され得る。液体のフローを許容しながらバブルのフローを抑制することによって、バブルトラップ１５は、空気フィルターとして作用し、流路から外へ空気を濾過することが可能である。
【００７４】
図６Ａ’は、入口部ルアーコネクター２０ａおよび出口部ルアーコネクター２０ｂを備えた図６Ａのバブルトラップ１５の概略図である。オス型ルアーコネクター２０ａは、任意の適切なオス型ルアーであることが可能であり、メス型ルアーコネクター２０ｂは、任意の適切なメス型ルアーであることが可能である。また、いくつかの実施形態では、オス型ルアーコネクター２０ａおよびメス型ルアーコネクター２０ｂの任意の適切な配置が認識されるということも理解されることとなる。たとえば、バブルトラップ１５は、入口部１６ａおよび出口部１６ｂのうちの少なくとも１つに位置付けされているオス型ルアーコネクターと、入口部１６ａおよび出口部１６ｂのうちの少なくとも１つに位置付けされているメス型ルアーコネクターとを含むことが可能である。上記に説明されているように、図６Ｂは、出口突起部１８と、細長いのとは対照的に湾曲したチャンバー１７とを有する、バブルトラップ１５の概略図である。図６Ｂでは、入口部１６ａおよび出口部１６ｂは、ハウジング１７の同じ側に位置決めされており、または、そうでなければ、互いに直ぐ近くに位置決めされており、入口部１６ａおよび出口部１６ｂが互いに面しておらず、互いの方を向いていないようになっている。そのような実施形態では、出口突起部チャネル１９の開口部１６ｃは、空気をトラップするためのバブルトラップ１５の能力を損なうことなく、出口突起部１８の端部に位置決めされ得る。いくつかの実施形態では、入口部導管１４ａは、入口部１６ａに接続され得（たとえば、取り付けられている、結合されている、接着されている、溶接されている、スナップされている、摩擦嵌めされている、除去可能に取り付けられているなど）、出口部導管１４ｂは、出口部１６ｂに接続され得る。
【００７５】
図６Ｃは、湾曲したチャンバー１７および出口部、ならびに、入口部ルアーコネクター２０ａおよび出口部ルアーコネクター２０ｂを有する、バブルトラップ１５の概略図である。図６Ｃに示されているように、いくつかの実施形態では、バブルトラップ１５は、入口突起部チャネル１３を有する入口突起部１２と、出口突起部チャネル１９を有する出口突起部１８を含むことが可能である。入口突起部１２および出口突起部１８は、出口部１６ｂの中へのおよび／またはそれを超えるバブルのフローを抑制する任意の適切な形状および／または構成を有することが可能である。たとえば、図６Ｃに示されているように、入口突起部１２および出口突起部１８は、それぞれがその中心に向けて延在する状態で、チャンバー１７の反対側端部に位置決めされ得る。そのような実施形態では、入口突起部１２および出口突起部１８の両方は、チャンバー１７の中心を越えて延在するように構成され得、直接的な流路が入口部１６ａと出口部１６ｂとの間に存在しないようになっている。しかし、図６Ａを参照して上記に説明されているように、図６Ｃに示されている１つまたは複数の入口突起部および出口突起部は、任意の適切な形態をとる。たとえば、示されていないが、いくつかの実施形態では、入口突起部チャネル１３および出口突起部チャネル１９のいずれかまたは両方は、それらのそれぞれの入口突起部１２または出口突起部１８の先端部の近くにカーブを有することが可能である。いくつかの実施形態では、入口突起部チャネル１８は、有利には、チャンバー１７の周辺から離れるように入口部１６ａを位置決めすることによって、入口部１６ａの近くに形成された可能性のある任意のバブルを、入口部１６ａがかき乱すことを抑制することが可能である。入口突起部１２がない場合には、入口部１６ａは、たとえば、チャンバーの周辺から離れるように（たとえば、出口突起部チャネル１９の開口部１６ｃに向けて）バブルを押し出すことによって、大きいバブルをより小さいバブルへと分割することによって、および、チャンバー１７を通してバブルを分散させることなどによって、その他の方法でバブルをかき乱す傾向があり得る。
【００７６】
図７Ａ〜図７Ｈは、４５度のインクリメントで、いくつかの実施形態による、流体フローの間のバブルをトラップするバブルトラップ１５（たとえば、図６Ａ’に示されているバブルトラップ１５）の簡略図を図示している。別段の注記がない限り、図７Ａ〜図７Ｈの中の参照番号は、先行する図の中のコンポーネントと同じであるかまたは概して同様のコンポーネントを表している。それぞれの図７Ａ〜図７Ｈは、入口部１６ａ、チャンバー１７、出口突起部１８、出口突起部チャネル１９、および出口部１６ｂを図示している。また、より多くのまたはより少ない特徴が認識される。流体フローの方向は、矢印によって示されており、空気バブルは、小さい円形によって表されている。これらの図のそれぞれの中のバブルトラップ１５の空気トラップ容量が、たとえば、「Ｃ」のラベルを付されている点線の上方に存在するチャンバー１７のエリアによって示されている。図７Ａ〜図７Ｈに示されているように、いくつかの実施形態では、ラインＣの上方のエリアは、任意の所与の配向において、チャンバー１７の合計流体容量の約５０％を表すことが可能であり、有利には、図７Ａ〜図７Ｈの中のバブルトラップ１５が全方向性であるだけでなく、実質的に均一に全方向性であるということを示している。バブルトラップ１５は、いくつかの実施形態では、２つ以上の異なる配向に対応する複数の異なるトラップ容量を有することが可能であるということが認識されることとなる。本明細書で開示されているいくつかの実施形態による全方向性のバブルトラップは、バブルトラップ１５がすべての配向においてガスに関して最小容量を有しているということを意味しているということが理解されるべきである。いくつかの実施形態では、その最小は、約０．５ｃｃ、約１ｃｃ、約２ｃｃ、約３ｃｃ、またはそれ以上である。上記に説明されているように、トラップ容量は、チャンバー１７のサイズおよび形状、出口突起部１８および／もしくは入口突起部１２（図示せず）の長さおよび配置、流体フローおよび重力に対するバブルトラップ１５の配向、ならびに／または、流体フローのレートを含む、複数の要因に依存し得る。たとえば、いくつかの実施形態では、フローレートが閾値レートを超えて増加した場合には、トラップ容量は、ラインＣの上方の空気をかき乱す可能性があるチャンバー１７を通る乱流の結果として、減少する可能性がある。しかし、いくつかの実施形態では、バブルトラップ１５は、任意の配向において、任意の適切なフローレートに関してその最大容量をトラップするように構成され得る。たとえば、図７Ａ〜図７Ｈに示されているように、点線「Ｃ」の上方のエリアは、空気が出口突起部チャネル１９を通って、および、出口部１６ｂを越えて流体ラインの中へ流れ始める前に、バブルトラップ１５がトラップすることができる空気の最大量を概略的に表している。いくつかの実施形態では、チャンバー１７が空気によって充填するにつれて、デッドスペースの量が等しく低減され得る。いくつかの実施形態では、センサーは、バブルチャンバー１５の中の空気の量をモニタリングおよび／または決定し、また、バブルトラップ１５がそのトラップ容量に接近しているときを（たとえば、聴覚的に、視覚的に、など）示すように構成され得る。
【００７７】
図８Ａおよび図８Ｂは、真空が印加された状態および真空が印加されていない状態のバブルトラップ１５の２つの概略図である。図８Ａは、真空が印加された状態のバブルトラップの概略図であり、図８Ｂは、流体によって充填された図８Ａのバブルトラップの概略図である。別段の注記がない限り、図８Ａおよび図８Ｂの中の参照番号は、先行する図の中のコンポーネントと同じであるかまたは概して同様のコンポーネントを表している。いくつかの実施形態では、供給源コンテナ３９および／またはデスティネーションコンテナ４５を流体によって充填する前に、ガスのバブルトラップ１５（たとえば、流体移送モジュール４５）を有する流体ラインをパージすることが有利である可能性がある。パージの間に、真空圧力は、バブルトラップ１５に印加され得る。パージの間にバブルトラップ１５から除去され得る空気の量を最適化するために、いくつかの実施形態では、バブルトラップ１５は、リジッドのおよび／またはセミリジッドの外側ハウジングを含むことが可能であり、リジッドのおよび／またはセミリジッドの外側ハウジングは、真空がチャンバー１７に印加されるときに、屈曲する（たとえば、収縮する、崩壊するなど）ように構成されている。このように、空気は、パージの間にチャンバー１７から抜かれ得る（引き出されるとも称される）。これは、有利には、供給源コンテナ３９から患者へ流体を送達するときに、および／または、デスティネーションコンテナ４４を充填するときに、バブルトラップ１５によってトラップされることを必要とする空気の量を低減させることが可能である。たとえば、真空がチャンバー１７に印加されるときに、リジッドのおよび／またはセミリジッドの外側ハウジングは、真空が増加するにつれてチャンバー１７のサイズが減少するので、形状を変化させ収縮するように構成され得る。いくつかの実施形態では、リジッドのおよび／またはセミリジッドの外側ハウジングは、真空の印加によって崩壊させられた後に、膨張した状態（たとえば、真空が印加された前のそのオリジナルの状態）に戻るように構成され得る。いくつかの実施形態では、バブルトラップ１５の形状復元メカニズムは、材料（たとえば、リジッドのおよび／またはセミリジッドの外側ハウジングの材料）の記憶、バブルトラップ１５の中へのおよび／もしくはバブルトラップ１５を通る流体のその後のフロー、ならびに／または、１つもしくは複数の別々の形状復元構造に対応することが可能である。いくつかの実施形態では、バブルトラップ１５全体は、真空が印加すると崩壊するように構成されているリジッドのおよび／またはセミリジッドの材料を含むことが可能である。いくつかの実施形態では、リジッドのおよび／またはセミリジッドの材料は、たとえば、ポリ塩化ビニル（ＰＶＣ）を含むことが可能であるが、任意の適切な材料も認識される。いくつかの実施形態では、壁部は、真空の下で崩壊せず、印加される真空は、所望の量のガスをシステムから除去するのに十分である。
【００７８】
いくつかの実施形態では、バブルトラップ１５は、任意の適切なポンプおよび／または流体移送デバイス（たとえば、流体移送デバイス３０、流体移送ユニット２００、および／または流体ポンプアッセンブリ２２４など）と共に使用するために、流体ラインに取り付けられ得る。たとえば、いくつかの実施形態では、バブルトラップ１５は、コンピューター化された歩行可能な薬物送達を提供するように構成されている注入ポンプを含む、歩行用注入ポンプと共に使用されるように、および／または、歩行用注入ポンプに流体接続されるように構成され得る。バブルトラップ１５は、流体移送ポンプと共に使用することに関して本明細書で議論されているが、流体移送は、バブルトラップ１５と共に使用される必要はないということが当業者によって理解されることとなる。たとえば、バブルトラップ１５は、手でデスティネーションコンテナを手動で充填するために使用され得る。
【００７９】
いくつかの実施形態では、バブルトラップ１５は、ＳＭＩＴＨＳ  ＭＥＤＩＣＡＬ（登録商標）によって製造されているＣＡＤＤ（登録商標）ポンプと共に使用され、および／または、それに流体接続されるように構成され得る。図９Ａおよび図９Ｂは、カセットに接続されている流体移送モジュールとインラインになったバブルトラップ１５の概略図である。図９Ａは、リザーバーを備えたカセットに流体連通しているバブルトラップ１５の概略図であり、図９Ｂは、いくつかの実施形態による、リザーバーなしのカセットに流体連通しているバブルトラップ１５の概略図である。図９Ｃは、図９Ａのカセットを医療用流体によって充填するための例示的な流体移送プロトコルである。別段の注記がない限り、図９Ａ〜図９Ｃの中の参照番号は、先行する図の中のコンポーネントと同じであるかまたは概して同様のコンポーネントを表している。
【００８０】
図９Ａに示されているように、ポンプ２２は、リザーバー２５（たとえば、供給源コンテナ３９および／またはデスティネーションコンテナ４４）を備えた除去可能に取り付けられたカセット２４、ならびに、空気検出センサー２６を含むことが可能である。空気検出センサー２６は、たとえば、リザーバー２５から排出される流体ラインの中のガス（たとえば、空気）の存在を（たとえば、聴覚的におよび／または視覚的に）示すように構成され得る。いくつかの実施形態では、バブルトラップ１５は、カセットの中のリザーバー２５に接続されている流体ラインに接続され得る。図９Ａでは、バブルトラップ１５、カセット２４、および、それらの間の流体ラインは、流体移送モジュール（たとえば、流体移送モジュール４５）を含むことが可能であるが、より多くのまたはより少ないコンポーネントおよび／または特徴も認識される。たとえば、いくつかの実施形態では、オス型−オス型間の導管２８の一方の端部は、バブルトラップ１５の出力１６ｂに取り付けられ得、オス型−オス型間の導管２８の他方の端部は、患者および／または流体デスティネーションコンテナ４４に流体連通しているように構成され得る。オス型−オス型間の導管２８の一部分は、空気検出センサー２６の中に位置決めされ得る。オス型−オス型間の導管２８は、たとえば、メス型−メス型、メス型−オス型、オス型−メス型、および／またはオス型−オス型を含む、任意のジェンダーコネクター組み合わせを有することが可能であるということが認識されることとなる。
【００８１】
上記に説明されているように、カセット２４ａと空気検出センサー２６との間のバブルトラップ１５の位置は、有利には、空気がバブルトラップ１５の出口部１６ｂ通ってオス型−オス型間の導管２８の中へ入ることを許容される前に、空気をトラップすることによって、空気検出アラーム（たとえば、インディケーション）の数を低減させることが可能である。結果として、バブルトラップ１５の使用は、有利には、より少ない治療中断につながることが可能であり、したがって、ポンプ２２がより一貫したおよび連続的な治療を患者に提供することを可能にする。これは、空気塞栓症のリスクを低減させるバブルトラップ１５の能力と組み合わせて、ポンプ２２への患者の信頼を増加させることが可能である。空気をトラップすることによって、バブルトラップ１５は、軽度の空気塞栓症を低減および／または排除することによって、患者の快適性を強化することが可能であり、軽度の空気塞栓症は、命に関わるものではないが、それにもかかわらず、痛みを伴うかまたは不快なものである可能性がある。また、バブルトラップ１５は、深刻な空気塞栓症を防止することが可能であり、深刻な空気塞栓症は、潜在的に命に関わるものであり、または、そうでなければ、患者の中へ注入されることが防止されない場合には、医学的介入を必要とすることとなる。図９Ｃを参照してより詳細に下記に説明されることとなるように、バブルトラップ１５、リザーバー２５、および、それらの間の流体ラインを含む、図９Ａの流体移送モジュール４５は、所望の量の流体をリザーバー２５に追加するように手動でまたは自動的に複合され得る。たとえば、いくつかの実施形態では、流体移送モジュール４５は、流体移送デバイス（たとえば、流体移送デバイス３０、流体移送ユニット２００、および／または流体ポンプアッセンブリ２２４など）に流体接続され得る。
【００８２】
図９Ｂは、カセット２４がリザーバー２５を含まないという点を除いて、図９Ａと同様である。図９Ｂの流体モジュール４５は、代わりに、外部供給源コンテナ３９および／またはデスティネーションコンテナ４４、たとえば、ＩＶバッグなどを含み、ＩＶバッグとバブルトラップ１５との間の導管の一部分がカセット２４の中に位置決めされている状態になっている。
【００８３】
図９Ｃは、図９Ａのカセットを医療用流体によって充填するための例示的な流体移送プロトコルである。図９Ｃに関連して図示および／または説明されているステップのそれぞれは、たとえば、シリンジを使用して実施され得、または、たとえば、全体的にもしくは部分的に、手動で（たとえば、人）もしくは自動的に（たとえば、ポンプ２２のコンピュータープロセッサーによって、および／もしくは、流体移送管理システム７４の中にもしくはそれに関連付けられて位置決めされているコンピュータープロセッサーによって）、制御もしくは作動させられ得る。この流体移送プロトコル９００のいくつかの実施形態の利点は、リザーバー２５が流体によって充填されるまでに、それがカセット２４のリザーバー２５からの空気の実質的にすべてを除去することが可能であるということである。充填プロセスの間のデスティネーションコンテナ４４（たとえば、カセット２４、リザーバー２５、コンテナ４４など）の中の空気の最小化は、デスティネーションコンテナが充填されたときに上部からアクセスされるように構成されているときに、とりわけ有利である可能性がある。空気バブルがデスティネーションコンテナの上部へ上昇するので、それらは、コンテナから引き抜かれやすく、患者に向けて伝送されやすくなっている。バブルトラップ１５は、上記に説明されているように、フローが患者に到達する前に、リザーバー２５とインラインになったどこかに位置決めされることによって、リザーバー２５の中に残っている残留空気を捕まえるように構成され得る。たとえば、いくつかの実施形態では、この流体移送プロトコル９００のいくつかの実施形態の利点は、リザーバー２５が流体によって充填される前に、それがカセット２４のリザーバー２５からの空気の約９８％を除去することができるということである。バブルトラップ１５は、上記に説明されているように、フローが患者に到達する前に、リザーバー２５とインラインになったどこかに位置決めされることによって、リザーバー２５の中に残っている残留空気の２％を捕まえるように構成され得る。また、他のパーセンテージも認識される。本明細書の中のすべての実施形態と同様に、流体移送プロトコル９００のステップの１つまたは複数は、単独で、１つもしくは複数のグループで、または、図９Ｃに図示されているものおよび／もしくは本明細書で説明されているものとは異なる順序で、実施され得る。たとえば、いくつかの実施形態では、任意の他の流体移送システムのなかでも、図１Ａに示されている流体移送デバイス３０、図１Ｂに図示されている流体移送システム８６、ならびに／または、図２Ａｉおよび図２Ａｉｉに示されている流体移送ユニット２００（たとえば、たとえば、図２Ｃｉおよび図２Ｃｉｉに示されている）に取り付けられている流体移送モジュール４５から空気を除去するために、それに続くステップが修正および／または並べ替えられ得る。同様に、いくつかの実施形態では、バブルトラップ１５は、充填プロセスの間に使用され、デスティネーションコンテナの中の空気を制限することが可能であり、デスティネーションコンテナから患者への流体の投与の間に使用される必要はない。「の前に」、「の後に」、「始める」、「開始」、もしくは「終了」などのような時系列的な用語、または、任意の同様の用語は、単に例として提供されており、すべての実施形態において必要とされるわけではない。これらのステップのいずれも、本質的または不可欠のものではない。
【００８４】
流体移送プロトコル９００は、開始ブロック９０２において始まる。プロトコル９００は、ブロック９０４において、パッケージからカセット２４を除去することによって継続する。いくつかの実施形態では、カセット２４は、リザーバー２５を含むことが可能である。ブロック９０６において、プロトコルは、バブルトラップ１５（たとえば、全方向性のバブルトラップ）を、カセット２４、供給源コンテナ３９、および／またはデスティネーションコンテナ４４に取り付けることによって継続する。ブロック９０８において、バブルトラップ１５およびカセット２４は、自動または手動コンパウンダー（または、その両方を行うことができるコンパウンダー）に流体接続されており、たとえば、流体移送デバイス（たとえば、カセット２４に流体を手動で送達するように構成されている流体移送デバイス３０またはシリンジ）などに流体接続されている。９１０において、プロトコルは、コンパウンダーによってバブルトラップ１５およびカセット２４に真空を印加し、それぞれの内側の空気を除去し、供給源コンテナ（たとえば、供給源コンテナ３９および／またはデスティネーションコンテナ４４）の中へそれを押し込むことによって継続する。いくつかの実施形態では、コンパウンダー（または、任意の適切な流体移送デバイス）は、バブルトラップ１５および／またはカセット２４の中に（たとえば、カセット２４のリザーバー２５の中に）真空を発生させることができる。たとえば、いくつかの実施形態では、真空は、大気圧力の上方または下方にあることが可能である。上記に説明されているように、印加される真空は、たとえば、バブルトラップ１５のチャンバー１７を崩壊させることなどによって、バブルトラップ１５の体積を低減させるのに十分であることが可能である。バブルトラップ１５の可撓性の（たとえば、崩壊可能な）リジッドのおよび／またはセミリジッドの材料は、有利には、材料が可撓性のリジッドのおよび／またはセミリジッドの材料を含まなかった場合に、バブルトラップ１５から同等の量のガスを除去するために必要とされることとなる真空に対して、より低い真空圧力において、ガスがバブルトラップ１５から除去されることを可能にすることができる。ブロック９１２において、プロトコルは、コンパウンダーによって、カセット２４のリザーバー２５の中へ医療用流体を押し込むことによって継続する。いくつかの実施形態では、１つまたは複数の流体は、コンパウンダーによって、リザーバー２５の中へ押し込まれ得る。プロトコルのブロック９１４および９１６は、バブルトラップ１５およびカセット２４を流体移送デバイスから取り外し、次いで、それぞれ、バブルトラップ１５およびカセット２４をポンプ２２に取り付けることによって継続する。ブロック９１８において、プロセスは、カセット２４のリザーバー２５の中の流体を、バブルトラップ１５を越えて患者の中へポンプ送りすることによって終了する。しかし、いくつかの実施形態では、プロセスは、バブルトラップ１５を越えて供給源コンテナ３９および／またはデスティネーションコンテナ４４の中へ流体をポンプ送りすることによって終了することが可能であるということが理解されることとなる。そこから、いくつかの実施形態では、流体は、バブルトラップ１５の使用なしに、供給源コンテナ３９から患者へポンプ送りされ得る。同様に、いくつかの実施形態では、流体は、バブルトラップ１５の使用なしに、デスティネーションコンテナ４４から患者へポンプ送りされ得る。
【００８５】
図９Ａおよび図９Ｂに図示されているポンプ２２などのような注入ポンプを引き続き参照すると、図１０Ａおよび図１０Ｂは、カセット２４が空気をトラップおよび／または除去するように修正され得る、概略図の例を図示している。これは、図９Ａおよび図９Ｂとは対照的であり、図９Ａおよび図９Ｂは、たとえば、バブルトラップ１５の追加などによって、流体ラインが空気をトラップおよび／または除去するように修正され得る、概略図の例を図示している。たとえば、図１０Ａは、バリア１０１と共に構成されているカセットの概略図である。別の例として、図１０Ｂは、ポート１０４によって空気をトラップおよび／または除去するように構成されているカセットの概略図である。さまざまな実施形態では、なかでも、たとえば、図９Ａ、図９Ｂ、図１０Ａ、および／または図１０Ｂに示されている実施形態（たとえば、図１〜図８Ｂおよび図９Ｃを含む、本明細書で企図される開示）を含む、本明細書で説明されている特徴および／または実施形態のいずれかが組み合わせられ得るということが認識されることとなる。別段の注記がない限り、図１０Ａおよび図１０Ｂの中の参照番号は、先行する図の中のコンポーネントと同じであるかまたは概して同様のコンポーネントを表している。
【００８６】
図１０Ａに示されているように、バリア１０１は、カセット２４のリザーバー２５に追加され、リザーバー２５の中にパーティションを生成させることが可能である。いくつかの実施形態では、バリアは、たとえば、ヒートシールされたバリアであることが可能であるが、任意の適切なバリアも認識される。いくつかの実施形態では、リザーバー２５は、１つまたは複数のバリアを含むことが可能である。バリア１０１は、有利には、リザーバー２５の出口部から間隔を離して配置されているバブル収集領域１０２（サブリザーバーまたはサブチャンバーとも称される）、および、出口部領域１０３（出口部チャンバーとも称される）を生成させることが可能である。バリア１０１は、リザーバー２５に関して特定の形状およびサイズを有するものとして、図１０Ａに図示されているが、バリア１０１は、バブル収集領域１０２を生成させることができる任意の形状またはサイズを含むことが可能であるということが当業者によって理解されることとなる。いくつかの実施形態では、バリア１０１は、リザーバー２５の中の空気のいくらかまたはすべてをバブル収集領域１０２の中にトラップすることによって、それがリザーバー２５からポンプ送りされることを防止することが可能である。
【００８７】
いくつかの実施形態では、出口部領域１０３は、リザーバー２５の底部部分に位置付けされ得る。空気バブルはリザーバー２５の上部へ上昇するので、底部部分の上の出口部領域１０３の場所は、出口部領域１０３および１つまたは複数のコネクター１０５、１０６を通過させられる空気バブルの量を低減させることが可能である。結果として、出口部領域１０３の場所は、有利には、空気検出アラームの数を低減させることが可能であり、より少ない治療中断につながることが可能であり、したがって、ポンプ２２がより一貫したおよび連続的な治療を患者に提供することが可能である。これは、空気塞栓症のリスクを低減させるバブルトラップ１５の能力と組み合わせて、ポンプ２２への患者の信頼を増加させることが可能である。
【００８８】
図１０Ｂに図示されているように、ポート１０４は、たとえば、アダプターであることが可能であり、アダプターは、流体移送デバイス（たとえば、流体移送デバイス３０、シリンジなど）に取り付けるように構成されており、流体移送デバイスは、リザーバー２５が流体によって充填される前に、リザーバー２５に真空を印加するように構成されている。いくつかの実施形態では、ポート１０４は、ポンプ２２が流体によってリザーバー２５を充填した後に、リザーバー２５の中に存在する空気バブルを除去するように構成され得る。ポート１０４は、図１０Ｂに示されているように、リザーバー２５の上部部分に位置付けされており、リザーバー２５の上部へ上昇する空気バブルの除去を促進させることが可能である。上記に説明されているように、これは、有利には、リザーバー２５の中の空気の量を低減させることが可能であり、それによって、空気塞栓症を患者に与える可能性を低減させることが可能である。また、それは、有利には、空気検出センサー２６がラインの中の空気の存在を示す頻度を低減させることが可能である。いくつかの実施形態では、ポート１０４は、ガスがリザーバー２５から抜かれることを可能にすることができ、ならびに／または、必要とされるときにリザーバー２５の中への薬物の注入および／もしくは挿入を可能にすることができる。図１０Ａ〜図１０Ｂに図示されているように、いくつかの実施形態では、カセットは、１つまたは複数のコネクター１０５、１０６に流体連通していることが可能である。コネクター１０５、１０６は、１つまたは複数のルアーコネクター、たとえば、ルアーフィッティングを有するメス型またはオス型の医療用コネクターを含むことが可能である。
【００８９】
本出願において説明されている任意のシステム、方法、およびデバイスは、その後の段落において説明されている特徴および組み合わせを含む、本明細書で説明されている他の特徴および組み合わせのなかでも、この段落および他の段落において説明されている先行する特徴の任意の組み合わせを含むことが可能である。
【００９０】
本発明は、特定の実施形態および例の文脈において開示されてきたが、本発明は、具体的に開示されている実施形態を超えて、他の代替的な実施形態まで、ならびに／または、本発明の使用、および、自明の修正例およびその均等物まで及ぶということが当業者によって理解されることとなる。それに加えて、本発明のいくつかの変形例が詳細に示されて説明されてきたが、本発明の範囲内にある他の修正例が、この開示に基づいて当業者に容易に明らかになることとなる。また、実施形態の特定の特徴および態様のさまざまな組み合わせまたはサブコンビネーションが行われ得、依然として本発明の範囲内に入るということが企図される。開示されている実施形態のさまざまな特徴および態様は、開示されている発明のさまざまなモードを形成するために、互いに組み合わせられ、または、互いに置き換えられ得るということが理解されるべきである。したがって、本明細書に開示されている本発明の範囲は、上記に説明されている特定の開示されている実施形態によって限定されるべきではなく、以下に続く特許請求の範囲を公正に読むことによってのみ決定されるべきであるということが意図されている。そのうえ、「最大で」、「少なくとも」、「よりも多い」、「よりも少ない」、「の間」などのような語句は、記載されている数を含む。本明細書で使用されているような「おおよそ」、「約」、および「実質的に」などのような用語が先行している数は、記載されている数（たとえば、約１０％＝１０％）を含み、また、依然として所望の機能を果たしまたは所望の結果を実現する、記述されている量の近くの量も表している。たとえば、「おおよそ」、「約」、および「実質的に」という用語は、記述されている量の１０％よりも少ない範囲内、５％よりも少ない範囲内、１％よりも少ない範囲内、０．１％よりも少ない範囲内、および、０．０１％よりも少ない範囲内の量を表すことが可能である。
【符号の説明】
【００９１】
１２  入口突起部
１３  入口突起部チャネル
１４ａ  入口部導管
１４ｂ  出口部導管
１５  バブルトラップ
１６ａ  入口部
１６ｂ  出口部
１６ｃ  開口部
１７  チャンバー
１８  出口突起部
１９  出口突起部チャネル
２０ａ  入口部ルアーコネクター、オス型ルアーコネクター
２０ｂ  出口部ルアーコネクター、メス型ルアーコネクター
２２  ポンプ
２４  カセット
２４ａ  カセット
２５  リザーバー
２６  空気検出センサー
２８  導管
３０  流体移送デバイス
３１  流体移送モジュール
３２  入口流体コネクター
３３  ドライビングインターフェース
３６  電気機械式コントローラー
３８  中間流体コネクター
３９  供給源コンテナ
４０  中間コンテナまたはポンピング領域
４２  出口流体コネクター
４１  多方向フロー制御弁
４４  デスティネーションコンテナ
４５  流体移送モジュール
７０  患者、患者および／もしくは薬物情報記憶デバイスまたはネットワーク
７２  電子通信リンク
７４  流体移送管理システム
７６  電子通信デバイス
７８  ユーザーインターフェース
８０  有線コネクター
８４  メモリー
８６  流体移送システム
１０１  バリア
１０２  バブル収集領域
１０３  出口部領域
１０４  ポート
１０５  コネクター
１０６  コネクター
２００  電気機械式システム
２０２  ハウジング
２０４  ポールスタンド
２０８  運搬用ハンドル
２１０  取り付け領域
２１２  ドライバー
２１４  センサーデバイス
２１５  センサー
２１６  インジケーター
２１８  受容部
２２０  突出したホルダー
２２２  可動プラットフォーム
２２３  ベースサポート
２２３ａ  ベースサポート領域
２２４  流体ポンプアッセンブリ
２２５  センサー
２２６  入口流体コネクター
２２６ａ  オス型流体コネクター、Ｃｈｅｍｏｌｏｃｋ（登録商標）コネクター
２２８  回転可能なアクチュエーター
２３０  ストップコック
２３２  導管
２３４  出口流体コネクター
２３４ａ  オス型流体コネクター、Ｃｈｅｍｏｌｏｃｋ（登録商標）コネクター
２３８  導管
２４０  シリンジポンプ
２４２  サポートアーム
２４４  ＩＶバッグ
２４５  ストップコックハンドル
２４６  作動ステム
２４８  バイアルアダプター
２５０  供給源アダプター
２５２  導管またはホース
２５４  バッグスパイク
２５５  シュラウド
２５６  ユーザー入力
２８０  トレイ
【図１Ａ】
2019525810.tif 000003
【図１Ｂ】
2019525810.tif 000004
【図２Ａｉ】
2019525810.tif 000005
【図２Ａｉｉ】
2019525810.tif 000006
【図２Ｂｉ】
2019525810.tif 000007
【図２Ｂｉｉ】
2019525810.tif 000008
【図２Ｃｉ】
2019525810.tif 000009
【図２Ｃｉｉ】
2019525810.tif 000010
【図２Ｄｉ】
2019525810.tif 000011
【図２Ｄｉｉ】
2019525810.tif 000012
【図２Ｅｉｉ】
2019525810.tif 000013
【図３】
2019525810.tif 000014
【図４】
2019525810.tif 000015
【図５Ａ】
2019525810.tif 000016
【図５Ｂ】
2019525810.tif 000017
【図５Ｃ】
2019525810.tif 000018
【図６Ａ】
2019525810.tif 000019
【図６Ｂ】
2019525810.tif 000020
【図６Ｃ】
2019525810.tif 000021
【図７Ａ】
2019525810.tif 000022
【図７Ｂ】
2019525810.tif 000023
【図７Ｃ】
2019525810.tif 000024
【図７Ｄ】
2019525810.tif 000025
【図７Ｅ】
2019525810.tif 000026
【図７Ｆ】
2019525810.tif 000027
【図７Ｇ】
2019525810.tif 000028
【図７Ｈ】
2019525810.tif 000029
【図８Ａ−８Ｂ】
2019525810.tif 000030
【図９Ａ】
2019525810.tif 000031
【図９Ｂ】
2019525810.tif 000032
【図９Ｃ】
2019525810.tif 000033
【図１０Ａ】
2019525810.tif 000034
【図１０Ｂ】
2019525810.tif 000035
【国際調査報告】
2019525810.tif 000036
2019525810.tif 000037
2019525810.tif 000038